(57)【要約】【課題】主サービングセルと副サービングセルとの間のＤＲＸ（ｄｉｓｃｏｎｔｉｎｕｏｕｓ  ｒｅｃｅｐｔｉｏｎ）動作を調整する方法を提供する。【解決手段】主サービングセルと副サービングセルとの間のＤＲＸ（ｄｉｓｃｏｎｔｉｎｕｏｕｓ  ｒｅｃｅｐｔｉｏｎ）動作を調整する方法は、主サービングセルおよび副サービングセルのＤＲＸパラメータを構成するステップと、主サービングセル内と副サービングセル内との両方でＣＦＮ（Ｃｏｎｎｅｃｔｉｏｎ  Ｆｒａｍｅ  Ｎｕｍｂｅｒ）を位置合せするために無線インターフェース同期化手順を実行するステップと、位置合せされたＣＦＮを使用して主サービングセルおよび副サービングセルのＤＲＸ受信パターンを調整するステップとを含む。【選択図】図１４
2018166346.tif 000002
【特許請求の範囲】
【請求項１】
主サービングセルと副サービングセルとの間のＤＲＸ（ｄｉｓｃｏｎｔｉｎｕｏｕｓ  ｒｅｃｅｐｔｉｏｎ）動作を調整する方法であって、
前記主サービングセルおよび前記副サービングセルのＤＲＸパラメータを構成するステップと、
前記主サービングセル内と前記副サービングセル内との両方でＣＦＮ（Ｃｏｎｎｅｃｔｉｏｎ  Ｆｒａｍｅ  Ｎｕｍｂｅｒ）を位置合せするために無線インターフェース同期化手順を実行するステップと、
前記位置合せされたＣＦＮを使用して前記主サービングセルおよび前記副サービングセルのＤＲＸ受信パターンを調整するステップと
を含むことを特徴とする方法。
【請求項２】
前記構成するステップは、前記主サービングセルのＤＲＸパラメータの第１のセットおよび前記副サービングセルのＤＲＸパラメータの第２のセットを構成するステップ、または前記主サービングセルと前記副サービングセルとの両方のＤＲＸパラメータの１つのセットを構成するステップのうちのいずれか１つを含むことを特徴とする請求項１に記載の方法。
【請求項３】
前記構成するステップは、前記主サービングセルの第１のタイミングオフセットパラメータおよび前記副サービングセルの第２のタイミングオフセットパラメータを計算するステップを含むことを特徴とする請求項１に記載の方法。
【請求項４】
前記主サービングセルの前記受信パターンは、式
（（５×ＣＦＮ＿ＤＲＸ０−ＵＥ＿ＤＴＸ＿ＤＲＸ＿Ｏｆｆｓｅｔ０＋Ｓ＿ＤＲＸ０）  ＭＯＤ  ＵＥ＿ＤＲＸｃｙｃｌｅ）＝０
に従って判定され、ここで、ＣＦＮ＿ＤＲＸ０は、前記主サービングセルの対応するフラクショナル個別物理チャネルに関連するＨＳ−ＳＣＣＨ（Ｈｉｇｈ−Ｓｐｅｅｄ  Ｓｈａｒｅｄ  Ｃｏｎｔｒｏｌ  Ｃｈａｎｎｅｌ）の無線フレーム番号であり、ＵＥ＿ＤＴＸ＿ＤＲＸ＿Ｏｆｆｓｅｔ０は、前記主サービングセルのタイミングオフセットパラメータであり、Ｓ＿ＤＲＸ０は、前記主サービングセルのＨＳ−ＳＣＣＨサブフレーム番号であり、ＵＥ＿ＤＲＸｃｙｃｌｅは、前記ＨＳ−ＳＣＣＨ受信パターンの反復サイクルを指定する上位層によって構成されたパラメータであることを特徴とする請求項１に記載の方法。
【請求項５】
前記副サービングセルの前記受信パターンは、式
（（５×ＣＦＮ＿ＤＲＸ１−ＵＥ＿ＤＴＸ＿ＤＲＸ＿Ｏｆｆｓｅｔ１＋Ｓ＿ＤＲＸ１）  ＭＯＤ  ＵＥ＿ＤＲＸｃｙｃｌｅ）＝０
に従って判定され、ここで、ＣＦＮ＿ＤＲＸ１は、前記副サービングセルの対応するフラクショナル個別物理チャネルに関連するＨＳ−ＳＣＣＨ（Ｈｉｇｈ−Ｓｐｅｅｄ  Ｓｈａｒｅｄ  Ｃｏｎｔｒｏｌ  Ｃｈａｎｎｅｌ）の無線フレーム番号であり、ＵＥ＿ＤＴＸ＿ＤＲＸ＿Ｏｆｆｓｅｔ１は、前記副サービングセルのタイミングオフセットパラメータであり、Ｓ＿ＤＲＸ１は、前記副サービングセルのＨＳ−ＳＣＣＨサブフレーム番号であり、ＵＥ＿ＤＲＸｃｙｃｌｅは、前記ＨＳ−ＳＣＣＨ受信パターンの反復サイクルを指定する上位層によって構成されたパラメータであることを特徴とする請求項１に記載の方法。
【請求項６】
ＤＲＸアクティブ化命令またはＤＲＸ非アクティブ化命令を前記主サービングセルのＮｏｄｅ  Ｂまたは前記副サービングセルのＮｏｄｅ  Ｂから無線送受信ユニット（ＷＴＲＵ）に送信するステップと、
前記ＤＲＸアクティブ化命令または前記ＤＲＸ非アクティブ化命令に関する情報を前記主サービングセルの前記Ｎｏｄｅ  Ｂまたは前記副サービングセルの前記Ｎｏｄｅ  Ｂからサービング無線ネットワークコントローラ（ＳＲＮＣ）に送信するステップと
をさらに含むことを特徴とする請求項１に記載の方法。
【請求項７】
前記ＤＲＸアクティブ化命令または前記ＤＲＸ非アクティブ化命令を送信しなかったサービングＮｏｄｅ  ＢでＤＲＸモードをアクティブ化または非アクティブ化するコマンドを前記ＳＲＮＣから受信するステップ
をさらに含むことを特徴とする請求項６に記載の方法。
【請求項８】
前記コマンドは、ＤＲＸモードをいつアクティブ化または非アクティブ化すべきかに関するタイミング情報を含むことを特徴とする請求項７に記載の方法。
【請求項９】
前記ＤＲＸアクティブ化命令または前記ＤＲＸ非アクティブ化命令を以前に送信しなかった前記サービングＮｏｄｅ  Ｂから、ＤＲＸモードをアクティブ化または非アクティブ化するコマンドをＷＴＲＵに送信するステップ
をさらに含むことを特徴とする請求項７に記載の方法。
【請求項１０】
通知ベースのＤＲＸ（ｄｉｓｃｏｎｔｉｎｕｏｕｓ  ｒｅｃｅｐｔｉｏｎ）アクティブ化または非アクティブ化の方法であって、
主サービングセルのアクティブ化命令または非アクティブ化命令を前記主サービングセルのＮｏｄｅ  Ｂから無線送受信ユニット（ＷＴＲＵ）に送信するステップと、
対応するＤＲＸアクティブ化通知またはＤＲＸ非アクティブ化通知を前記主サービングセルの前記Ｎｏｄｅ  Ｂからサービング無線ネットワークコントローラ（ＳＲＮＣ）に送信するステップと、
ＤＲＸアクティブ化コマンドまたはＤＲＸ非アクティブ化コマンドを副サービングセルのＮｏｄｅ  Ｂで前記ＳＲＮＣから受信するステップと、
前記副サービングセルのアクティブ化命令を前記副サービングセルの前記Ｎｏｄｅ  Ｂから前記ＷＴＲＵに送信するステップと
を含むことを特徴とする方法。
【請求項１１】
前記ＤＲＸアクティブ化通知または前記ＤＲＸ非アクティブ化通知は、前記主サービングセルの前記アクティブ化命令または前記非アクティブ化命令を前記ＷＴＲＵに送信する前に前記ＳＲＮＣに送信されることを特徴とする請求項１０に記載の方法。
【請求項１２】
前記ＤＲＸアクティブ化通知または前記ＤＲＸ非アクティブ化通知は、前記アクティブ化または前記非アクティブ化に関するタイミング情報を含むことを特徴とする請求項１０に記載の方法。
【請求項１３】
通知ベースのＤＲＸ（ｄｉｓｃｏｎｔｉｎｕｏｕｓ  ｒｅｃｅｐｔｉｏｎ）アクティブ化または非アクティブ化の方法であって、
ＤＲＸアクティブ化要求またはＤＲＸ非アクティブ化要求を主サービングセルのＮｏｄｅ  Ｂからサービング無線ネットワークコントローラ（ＳＲＮＣ）に送信するステップと、
ＤＲＸアクティブ化グラントまたはＤＲＸ非アクティブ化グラントを前記主Ｎｏｄｅ  Ｂで前記ＳＲＮＣから受信するステップと、
前記主サービングセルおよび副サービングセルのＤＲＸアクティブ化命令またはＤＲＸ非アクティブ化命令を前記主Ｎｏｄｅ  Ｂから無線送受信ユニット（ＷＴＲＵ）に送信するステップと
を含むことを特徴とする方法。
【請求項１４】
前記ＤＲＸアクティブ化グラントまたは前記ＤＲＸ非アクティブ化グラントは、前記主Ｎｏｄｅ  Ｂが前記ＤＲＸアクティブ化命令または前記ＤＲＸ非アクティブ化命令を前記ＷＴＲＵにいつ送信すべきかに関するタイミング情報を含むことを特徴とする請求項１３に記載の方法。
【請求項１５】
前記ＳＲＮＣが前記ＤＲＸアクティブ化要求または前記ＤＲＸ非アクティブ化要求をグラントしないという条件の下で、前記ＳＲＮＣは、否定応答を前記主Ｎｏｄｅ  Ｂに送信することを特徴とする請求項１３に記載の方法。
【請求項１６】
前記ＳＲＮＣが前記ＤＲＸアクティブ化要求または前記ＤＲＸ非アクティブ化要求をグラントせず、前記主Ｎｏｄｅ  Ｂのタイマが前記ＤＲＸアクティブ化グラントまたは前記ＤＲＸ非アクティブ化グラントを受信する前に満了するという条件の下で、前記主Ｎｏｄｅ  Ｂは、前記要求がグラントされなかったと判定することを特徴とする請求項１３に記載の方法。
【請求項１７】
ＤＲＸアクティブ化コマンドまたはＤＲＸ非アクティブ化コマンドを前記ＳＲＮＣから前記副サービングセルのＮｏｄｅ  Ｂに送信するステップ
をさらに含むことを特徴とする請求項１３に記載の方法。
【発明の詳細な説明】
【技術分野】
【０００１】
本発明は、ＤＲＸ（ＤＩＳＣＯＮＴＩＮＵＯＵＳ  ＲＥＣＥＰＴＩＯＮ）を調整する方法に関する。
【背景技術】
【０００２】
（関連出願の相互参照）
本出願は、その内容が参照により本明細書に組み込まれている、２０１０年１０月１日に出願した米国特許仮出願第６１／３８９，１０２号、２０１１年４月２９日に出願した米国特許仮出願第６１／４８０，９９６号、および２０１１年８月１２日に出願した米国特許仮出願第６１／５２３，００７号の利益を主張するものである。
【０００３】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）初期リリース（Ｒ９９）は、個別チャネル（ＤＣＨ）に関するダウンリンク上のソフトコンバイニング（ｓｏｆｔ  ｃｏｍｂｉｎｉｎｇ）の機構を含む。ソフトコンバイニング動作では、無線送受信ユニット（ＷＴＲＵ）が、複数のＮｏｄｅ  Ｂを介して同一の情報を受信し、受信された情報をソフトビットレベルで組み合わせる。これは、一定の無線ビットレートがすべてのＮｏｄｅ  Ｂにまたがって同時に送信されることにより可能であった。ＨＳＤＰＡ（Ｈｉｇｈ−Ｓｐｅｅｄ  Ｄｏｗｎｌｉｎｋ  Ｐａｃｋｅｔ  Ａｃｃｅｓｓ）がリリース５で導入された時、この手法は、この状況においては、もはや働くことができず、それは、ＨＳＤＰＡでの瞬間ビットレートが瞬間チャネル測定値に基づいて各Ｎｏｄｅ  Ｂでローカルに決定されるからである。瞬間チャネル測定を使用することによって得られるスループット向上は、ソフトコンバイニングによって得られるマクロダイバーシティ利得より勝るものであった。
【０００４】
より最近に、リリース８のＷＣＤＭＡ標準規格は、デュアルセルＨＳＤＰＡ動作（ＤＣ−ＨＳＤＰＡ）を導入したが、この動作では、ＷＴＲＵが、同一無線帯内の隣接する周波数上で同一のＮｏｄｅ  Ｂの２つのセルから同時にデータを受信する。この手法は、ＷＴＲＵダウンリンクデータレートを２倍にすることを可能にする（その一方で２倍の帯域幅を使用する）。この標準規格のリリース９およびリリース１０では、この概念が拡張されて、マルチバンド動作および４つまでの同時ダウンリンク搬送波をサポートした。この手法は、セルにまたがってＷＴＲＵスループットを改善するが、追加の帯域幅を犠牲にしてこれを行い、大きいシステム全体の利得をもたらさない。セルエッジ条件に遭遇するＷＴＲＵについては、他の技法によって、追加の帯域幅を必要とせずにカバレッジを向上させることができる。
【０００５】
少なくとも２つの異なるセルを介するが、同一周波数内で受信して、セルエッジまたはセクタエッジでの受信スループットを改善し、潜在的にスペクトル効率を高めるために、第２のまたは複数の受信機のチェーン（マルチセルＨＳＤＰＡ、たとえば２Ｃ／４Ｃ  ＨＳＤＰＡの動作に必要）の存在を活用する他の手法が提案された。この利得は、同一周波数および／または異なる周波数内での地理的に分離されたセル（ポイント）からのデータのマルチポイント（またはマルチセル）送信／受信を使用することによって実現することができる。この形の動作を、マルチポイントＨＳＤＰＡ動作と称する。ＳＦ−ＤＣ−ＨＳＤＰＡ（Ｓｉｎｇｌｅ−Ｆｒｅｑｕｅｎｃｙ  ＤＣ−ＨＳＤＰＡ）は、マルチポイントＨＳＤＰＡの１つの実施形態例であることに留意されたい。
【０００６】
マルチポイントＨＳＤＰＡにスループット利得を提供する手法を、ＷＴＲＵが各ＴＴＩ（Ｔｒａｎｓｍｉｓｓｉｏｎ  Ｔｉｍｅ  Ｉｎｔｅｒｖａｌ）に受信できる異なるトランスポートブロックの個数に基づいて、４つの異なるカテゴリ（ソーススイッチング（ｓｏｕｒｃｅ  ｓｗｉｔｃｈｉｎｇ）、ソフトコンバイニング、ソースマルチプレクシング（ｓｏｕｒｃｅ  ｍｕｌｔｉｐｌｅｘｉｎｇ）、またはマルチフローアグリゲーション（ｍｕｌｔｉ−ｆｌｏｗ  ａｇｇｒｅｇａｔｉｏｎ））に粗くグループ化することができる。ソーススイッチングでは、ＷＴＲＵは、一度に単一のソースからデータを受信するが、経時的には複数のソースからデータを受信することができる。ソフトコンバイニングでは、ＷＴＲＵは、検出性能の向上ために、複数のソースから同一のデータを受信し、ソフトインフォメーションを組み合わせる。ソースマルチプレクシングでは、ＷＴＲＵは、複数のソースから同時に異なるデータを受信する。これらの手法のすべてが、セルエッジまたはセクタエッジにおけるＷＴＲＵスループットの向上を試みるものである。
【０００７】
マルチポイントＤＣ−ＨＳＤＰＡ動作のモードに応じて、ＷＴＲＵは、複数のタスクを実行して、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）上で搬送されるデータを復調しなければならない。適度な複雑さでそれを行うために、符号空間のどの部分を復号すべきか、および一般にそれをどのように変調し、符号化すべきかをＷＴＲＵが判断するのを助ける基本情報をＮｏｄｅ  Ｂが送信することが好ましい。このシグナリングおよび関連するＷＴＲＵアクションは、動作のマルチポイントＨＳＤＰＡモードに応じて、それぞれ異なる形をとる可能性がある。
【発明の概要】
【０００８】
主サービングセルと副サービングセルとの間のＤＲＸ（ｄｉｓｃｏｎｔｉｎｕｏｕｓ  ｒｅｃｅｐｔｉｏｎ）動作を調整する方法は、主サービングセルおよび副サービングセルのＤＲＸパラメータを構成することと、主サービングセル内と副サービングセル内との両方でＣＦＮ（Ｃｏｎｎｅｃｔｉｏｎ  Ｆｒａｍｅ  Ｎｕｍｂｅｒ）を位置合せするために無線インターフェース同期化手順を実行することと、位置合せされたＣＦＮを使用して主サービングセルおよび副サービングセルのＤＲＸ受信パターンを調整することとを含む。
【０００９】
通知ベースのＤＲＸアクティブ化またはＤＲＸ非アクティブ化の方法は、主サービングセルのアクティブ化命令または非アクティブ化命令を主サービングセルのＮｏｄｅ  Ｂから無線送受信ユニット（ＷＴＲＵ）に送信することと、対応するＤＲＸアクティブ化通知またはＤＲＸ非アクティブ化通知を主サービングセルのＮｏｄｅ  Ｂからサービング無線ネットワークコントローラ（ＳＲＮＣ）に送信することと、ＤＲＸアクティブ化コマンドまたはＤＲＸ非アクティブ化コマンドを副サービングセルのＮｏｄｅ  ＢでＳＲＮＣから受信することと、副サービングセルのアクティブ化命令を副サービングセルのＮｏｄｅ  ＢからＷＴＲＵに送信することとを含む。
【００１０】
通知ベースのＤＲＸアクティブ化またはＤＲＸ非アクティブ化の方法は、ＤＲＸアクティブ化要求またはＤＲＸ非アクティブ化要求を主サービングセルのＮｏｄｅ  Ｂからサービング無線ネットワークコントローラ（ＳＲＮＣ）に送信することと、ＤＲＸアクティブ化グラント（ｇｒａｎｔ）またはＤＲＸ非アクティブ化グラントを主Ｎｏｄｅ  ＢでＳＲＮＣから受信することと、主サービングセルおよび副サービングセルのＤＲＸアクティブ化命令またはＤＲＸ非アクティブ化命令を主Ｎｏｄｅ  Ｂから無線送受信ユニット（ＷＴＲＵ）に送信することとを含む。
【図面の簡単な説明】
【００１１】
より詳細な理解を、たとえば添付図面に関連して与えられる次の説明から得ることができる。
【図１Ａ】１つまたは複数の開示される実施形態が実施されてもよい通信システム例を示す図である。
【図１Ｂ】図１Ａに示された通信システム内で使用できる無線送受信ユニット（ＷＴＲＵ）例を示す図である。
【図１Ｃ】図１Ａに示された通信システム内で使用できる無線アクセスネットワーク例およびコアネットワーク例を示す図である。
【図２】両方のセルを介して送信される同一の信号の動作モードを示す図である。
【図３】２つのセルにわたる互いに異なるスクランブリング符号の使用を示す図である。
【図４】支援ＣＰＩＣＨ（ｃｏｍｍｏｎ  ｐｉｌｏｔ  ｃｈａｎｎｅｌ）の使用を示す図である。
【図５】互いに異なるＲＶ（Ｒｅｄｕｎｄａｎｔ  Ｖｅｒｓｉｏｎ）の動作モードを示す図である。
【図６】分割トランスポートブロックの使用の動作モードを示す図である。
【図７】互いに異なるトランスポートブロックの使用の動作モードを示す図である。
【図８】副セル指示ビットを搬送するＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）符号化を示す図である。
【図９】１スロット副セル指示チャネル（ｓｅｃｏｎｄａｒｙ  ｃｅｌｌ  ｉｎｄｉｃａｔｉｏｎ  ｃｈａｎｎｅｌ、ＳＣＩＣＨ）タイミングを示すブロック図である。
【図１０】３スロットＳＣＩＣＨタイミングを示すブロック図である。
【図１１】ソフトコンバイニング動作を示す図である。
【図１２】データ対パイロット情報を搬送するＨＳ−ＳＣＣＨタイプ１の例を示す図である。
【図１３】ＤＲＸ（ｄｉｓｃｏｎｔｉｎｕｏｕｓ  ｒｅｃｅｐｔｉｏｎ）受信パターンの位置合せの例を示す図である。
【図１４】通知ベースのＤＲＸアクティブ化／非アクティブ化手順を示す図である。
【図１５】タイマを用いるＤＲＸアクティブ化／非アクティブ化手順を示す図である。
【図１６】ハンドシェークベースのＤＲＸアクティブ化／非アクティブ化手順を示す図である。
【図１７】ＲＮＣによって制御されるＤＲＸアクティブ化／非アクティブ化手順を示す図である。
【発明を実施するための形態】
【００１２】
最適の動作のために、従来のＷＴＲＵ受信機内で変更が必要になる場合があり、ＷＴＲＵ側での送信に関する追加の知識が必要になる場合がある。より具体的には、ソフトコンバイニングの場合に、ＷＴＲＵが、最適の検出を保証するためにデータの有効な伝搬チャネルを正しく推定できる場合がある。これは、各Ｎｏｄｅ  Ｂからのパイロットチャネルとデータチャネルとの間の相対電力についてＷＴＲＵ側が知っていることを必要とする。
【００１３】
ソフトコンバイニング動作では、Ｎｏｄｅ  Ｂスケジューラは、システム性能を最適化するために、あるＴＴＩ中に送信しないと判断することができる（たとえば、ＣＱＩ（Ｃｈａｎｎｅｌ  Ｑｕａｌｉｔｙ  Ｉｎｄｉｃａｔｏｒ）に基づく）。その場合に、正しい受信が保証されるように、ＷＴＲＵ受信機を再構成するか、ＷＴＲＵ受信機に知らせることができる。
【００１４】
Ｎｏｄｅ  Ｂからの高速支援情報を用いるマルチポイントＨＳＤＰＡ動作の機構を説明する。本明細書で言及される時に、用語「マルチポイントＨＳＤＰＡ」は、同一周波数または異なる周波数でのマルチポイント動作を指すことができる。説明を単純にするために、方法の多くは、２ソースの文脈で説明されるが、これらの概念を、複数のソースにたやすく拡張できることを理解されたい。いくつかの実施形態を、デュアルセルマルチポイントＨＳＤＰＡ動作の文脈で説明するが、これらの実施形態は、ダウンリンク動作に関するマルチセルマルチポイント動作（ＨＳＤＰＡ）またはアップリンク動作に関するマルチセルマルチポイント動作（Ｈｉｇｈ−Ｓｐｅｅｄ  Ｕｐｌｉｎｋ  Ｐａｃｋｅｔ  Ａｃｃｅｓｓ、ＨＳＵＰＡ）に同等に適用可能である。さらに、これらの実施形態のいくつかは、マルチポイントＬＴＥ（Ｌｏｎｇ−Ｔｅｒｍ  Ｅｖｏｌｕｔｉｏｎ）動作にも適用可能である可能性があり、ＨＳ−ＤＰＳＣＨは、ＰＤＳＣＨ（Ｐｈｙｓｉｃａｌ  Ｄｏｗｎｌｉｎｋ  Ｓｈａｒｅｄ  Ｃｈａｎｎｅｌ）と同等とすることができ、ＨＳ−ＳＣＣＨ（Ｈｉｇｈ−Ｓｐｅｅｄ  Ｓｈａｒｅｄ  Ｃｏｎｔｒｏｌ  Ｃｈａｎｎｅｌ）は、ＰＤＣＣＨ（Ｐｈｙｓｉｃａｌ  Ｄｏｗｎｌｉｎｋ  Ｃｏｎｔｒｏｌ  Ｃｈａｎｎｅｌ）と同等とすることができる。
【００１５】
次の用語が、本明細書で使用される。
【００１６】
「サービングＨＳ−ＤＳＣＨ（Ｈｉｇｈ−Ｓｐｅｅｄ  Ｄｏｗｎｌｉｎｋ  Ｓｈａｒｅｄ  Ｃｈａｎｎｅｌ）セル」、「主セル」、および「サービングセル」は、主ＨＳ−ＤＳＣＨセルに関する同等の用語である。主ＨＳ−ＤＳＣＨセルは、ネットワークによって決定され、通常は、Ｅ−ＡＧＣＨ（Ｅｎｈａｎｃｅｄ  ｄｅｄｉｃａｔｅｄ  ｃｈａｎｎｅｌ  Ａｂｓｏｌｕｔｅ  Ｇｒａｎｔ  Ｃｈａｎｎｅｌ）など、そのＷＴＲＵの他の制御チャネルを搬送する。
【００１７】
「副サービングＨＳ−ＤＳＣＨセル」および「副セル」は、やはりＷＴＲＵにデータを送信する少なくとも１つの他のＨＳ−ＤＳＣＨセルに関する同等の用語である。副サービングＨＳ−ＤＳＣＨセルは、サービングＨＳ−ＤＳＣＨセルと同一周波数または異なる周波数上で送信すると仮定される。副セルを、マルチポイントセルまたはマルチポイント副セルと称する場合もある。
【００１８】
「サービングＨＳ−ＤＳＣＨセルセット」は、ＷＴＲＵにデータを送信できる、すなわちＷＴＲＵがＨＳ−ＤＳＣＨ受信のためにそれをリスン（listen）するように構成される、すべてのＨＳ−ＤＳＣＨセルのセットである（サービングセルおよびすべての副サービングセルを含む）。サービングＨＳ−ＤＳＣＨセルセットを、マルチポイントセットと称する場合もある。
【００１９】
「主ＨＳ−ＤＳＣＨ送信」は、主セルからのＨＳ−ＤＳＣＨ送信である。
【００２０】
「副ＨＳ−ＤＳＣＨ送信」は、副サービングＨＳ−ＤＳＣＨセルからのＨＳ−ＤＳＣＨ送信であり、それに関連する主ＨＳ−ＤＳＣＨ送信と同一のデータを搬送してもしなくてもよい。
【００２１】
図１Ａは、１つまたは複数の開示される実施形態を実施できる例の通信システム１００の図である。通信システム１００を、音声、データ、ビデオ、メッセージング、放送、その他などのコンテンツを複数の無線ユーザに提供する多元接続システムとすることができる。通信システム１００は、複数の無線ユーザが、無線帯域幅を含むシステムリソースの共有を介してそのようなコンテンツにアクセスすることを可能にすることができる。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、ＳＣ−ＦＤＭＡ（ｓｉｎｇｌｅ−ｃａｒｒｉｅｒ  ＦＤＭＡ）、および類似物などの１つまたは複数のチャネルアクセス方法を使用することができる。
【００２２】
図１Ａに示されているように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むことができるが、開示される実施形態が、任意の個数のＷＴＲＵ、基地局、ネットワーク、および／またはネットワーク要素を企図することを了解されたい。ＷＴＲＵ  １０２ａ、１０２ｂ、１０２ｃ、１０２ｄのそれぞれは、無線環境内で動作し、および／または通信するように構成された任意の種類のデバイスとすることができる。たとえば、ＷＴＲＵ  １０２ａ、１０２ｂ、１０２ｃ、１０２ｄを、無線信号を送信および／または受信するように構成することができ、ＷＴＲＵ  １０２ａ、１０２ｂ、１０２ｃ、１０２ｄは、ユーザ機器（ＵＥ）、移動局、固定のまたはモバイルの加入者ユニット、ページャ、携帯電話、携帯情報端末（ＰＤＡ）、スマートフォン、ラップトップ機、ネットブック、パーソナルコンピュータ、無線センサ、家庭用電化製品、および類似物を含むことができる。
【００２３】
通信システム１００は、基地局１１４ａおよび基地局１１４ｂも含むことができる。基地局１１４ａ、１１４ｂのそれぞれは、コアネットワーク１０６、インターネット１１０、および／またはネットワーク１１２などの１つまたは複数の通信ネットワークへのアクセスを容易にするためにＷＴＲＵ  １０２ａ、１０２ｂ、１０２ｃ、１０２ｄのうちの少なくとも１つと無線でインターフェースするように構成された任意の種類のデバイスとすることができる。たとえば、基地局１１４ａ、１１４ｂを、無線基地局（ＢＴＳ）、Ｎｏｄｅ−Ｂ、ｅＮｏｄｅ  Ｂ、Ｈｏｍｅ  Ｎｏｄｅ  Ｂ、Ｈｏｍｅ  ｅＮｏｄｅ  Ｂ、サイトコントローラ、アクセスポイント（ＡＰ）、無線ルータ、および類似物とすることができる。基地局１１４ａ、１１４ｂは、それぞれ単一の要素として図示されているが、基地局１１４ａ、１１４ｂが、任意の個数の相互接続された基地局および／またはネットワーク要素を含むことができることを了解されたい。
【００２４】
基地局１１４ａを、ＲＡＮ  １０４の一部とすることができ、ＲＡＮ  １０４は、他の基地局および／または基地局制御装置（ＢＳＣ）、無線ネットワークコントローラ（ＲＮＣ）、リレーノード、その他などのネットワーク要素（図示せず）も含むことができる。基地局１１４ａおよび／または基地局１１４ｂを、特定の地理的領域内で無線信号を送信および／または受信するように構成することができ、この特定の地理的領域を、セルと称する場合がある（図示せず）。セルを、さらに、セルセクタに分割することができる。たとえば、基地局１１４ａに関連するセルを、３つのセクタに分割することができる。したがって、一実施形態では、基地局１１４ａは、３つのトランシーバすなわち、セルのセクタごとに１つのトランシーバを含むことができる。別の実施形態では、基地局１１４ａは、ＭＩＭＯ（Ｍｕｌｔｉｐｌｅ  Ｉｎｐｕｔ  Ｍｕｌｔｉｐｌｅ  Ｏｕｔｐｕｔ）技術を使用することができ、したがって、セルのセクタごとに複数のトランシーバを利用することができる。
【００２５】
基地局１１４ａ、１１４ｂは、エアインターフェース１１６を介してＷＴＲＵ  １０２ａ、１０２ｂ、１０２ｃ、１０２ｄのうちの１つまたは複数と通信することができ、エアインターフェース１１６は、任意の適切な無線通信リンク（たとえば、ラジオ周波数（ＲＦ）、マイクロ波、赤外線（ＩＲ）、紫外線（ＵＶ）、可視光、その他）とすることができる。エアインターフェース１１６を、任意の適切な無線アクセス技術（ＲＡＴ）を使用して確立することができる。
【００２６】
より具体的には、上で注記したように、通信システム１００は、多元接続システムとすることができ、ＣＤＭＡ、ＴＤＭＡ、ＦＤＭＡ、ＯＦＤＭＡ、ＳＣ−ＦＤＭＡ、および類似物などの１つまたは複数のチャネルアクセス方式を使用することができる。たとえば、ＲＡＮ  １０４内の基地局１１４ａおよびＷＴＲＵ  １０２ａ、１０２ｂ、１０２ｃは、ＵＴＲＡ（ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）  Ｔｅｒｒｅｓｔｒｉａｌ  Ｒａｄｉｏ  Ａｃｃｅｓｓ）などの無線技術を実施することができ、ＵＴＲＡは、ＷＣＤＭＡ（Ｗｉｄｅｂａｎｄ  ＣＤＭＡ）を使用してエアインターフェース１１６を確立することができる。ＷＣＤＭＡは、ＨＳＰＡ（Ｈｉｇｈ−Ｓｐｅｅｄ  Ｐａｃｋｅｔ  Ａｃｃｅｓｓ）および／またはＨＳＰＡ＋（Ｅｖｏｌｖｅｄ  ＨＳＰＡ）などの通信プロトコルを含むことができる。ＨＳＰＡは、ＨＳＤＰＡ（Ｈｉｇｈ−Ｓｐｅｅｄ  Ｄｏｗｎｌｉｎｋ  Ｐａｃｋｅｔ  Ａｃｃｅｓｓ）および／またはＨＳＵＰＡ（Ｈｉｇｈ−Ｓｐｅｅｄ  Ｕｐｌｉｎｋ  Ｐａｃｋｅｔ  Ａｃｃｅｓｓ）を含むことができる。
【００２７】
別の実施形態では、基地局１１４ａおよびＷＴＲＵ  １０２ａ、１０２ｂ、１０２ｃは、Ｅ−ＵＴＲＡ（Ｅｖｏｌｖｅｄ  ＵＭＴＳ  Ｔｅｒｒｅｓｔｒｉａｌ  Ｒａｄｉｏ  Ａｃｃｅｓｓ）などの無線技術を実施することができ、Ｅ−ＵＴＲＡは、ＬＴＥ（Ｌｏｎｇ  Ｔｅｒｍ  Ｅｖｏｌｕｔｉｏｎ）および／またはＬＴＥ−Ａ（ＬＴＥ−Ａｄｖａｎｃｅｄ）を使用してエアインターフェース１１６を確立することができる。
【００２８】
他の実施形態では、基地局１１４ａおよびＷＴＲＵ  １０２ａ、１０２ｂ、１０２ｃは、ＩＥＥＥ  ８０２．１６（すなわち、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００  １Ｘ、ＣＤＭＡ２０００  ＥＶ−ＤＯ、ＩＳ−２０００（Ｉｎｔｅｒｉｍ  Ｓｔａｎｄａｒｄ  ２０００）、ＩＳ−９５（Ｉｎｔｅｒｉｍ  Ｓｔａｎｄａｒｄ  ９５）、ＩＳ−８５６（Ｉｎｔｅｒｉｍ  Ｓｔａｎｄａｒｄ  ８５６）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、ＧＥＲＡＮ（ＧＳＭ  ＥＤＧＥ）、および類似物などの無線技術を実施することができる。
【００２９】
図１Ａの基地局１１４ｂは、たとえば、無線ルータ、Ｈｏｍｅ  Ｎｏｄｅ  Ｂ、Ｈｏｍｅ  ｅＮｏｄｅ  Ｂ、またはアクセスポイントとすることができ、仕事場、家庭、車両、キャンパス、および類似物など、局所化された区域内で無線接続性を容易にする任意の適切なＲＡＴを利用することができる。一実施形態では、基地局１１４ｂおよびＷＴＲＵ  １０２ｃ、１０２ｄは、ＩＥＥＥ  ８０２．１１などの無線技術を実施して、ＷＬＡＮ（無線ローカルエリアネットワーク）を確立することができる。別の実施形態では、基地局１１４ｂおよびＷＴＲＵ  １０２ｃ、１０２ｄは、ＩＥＥＥ  ８０２．１５などの無線技術を実施して、ＷＰＡＮ（無線パーソナルエリアネットワーク）を確立することができる。さらに別の実施形態では、基地局１１４ｂおよびＷＴＲＵ  １０２ｃ、１０２ｄは、セルラベースのＲＡＴ（たとえば、ＷＣＤＭＡ、ＣＤＭＡ２０００、ＧＳＭ、ＬＴＥ、ＬＴＥ−Ａ、その他）を利用して、ピコセルまたはフェムトセルを確立することができる。図１Ａに示されているように、基地局１１４ｂは、インターネット１１０への直接接続を有することができる。したがって、基地局１１４ｂは、コアネットワーク１０６を介してインターネット１１０にアクセスすることを要求されないものとすることができる。
【００３０】
ＲＡＮ  １０４は、コアネットワーク１０６と通信しているものとすることができ、コアネットワーク１０６は、音声、データ、アプリケーション、および／またはＶｏＩＰ（ｖｏｉｃｅ  ｏｖｅｒ  ｉｎｔｅｒｎｅｔ  ｐｒｏｔｏｃｏｌ）サービスをＷＴＲＵ  １０２ａ、１０２ｂ、１０２ｃ、１０２ｄのうちの１つまたは複数に提供するように構成された任意の種類のネットワークとすることができる。たとえば、コアネットワーク１０６は、呼制御、請求サービス、モバイルロケーションベースのサービス、プリペイド発呼、インターネット接続性、ビデオ配信、その他を提供し、および／またはユーザ認証などの高水準セキュリティ機能を実行することができる。図１Ａには示されていないが、ＲＡＮ  １０４および／またはコアネットワーク１０６を、ＲＡＮ  １０４と同一のＲＡＴまたは異なるＲＡＴを使用する他のＲＡＮと直接または間接に通信しているものとすることができることを了解されたい。たとえば、Ｅ−ＵＴＲＡ無線技術を利用しているものとすることができるＲＡＮ  １０４に接続されることに加えて、コアネットワーク１０６を、ＧＳＭ無線技術を使用している別のＲＡＮ（図示せず）と通信しているものとすることもできる。
【００３１】
コアネットワーク１０６は、ＷＴＲＵ  １０２ａ、１０２ｂ、１０２ｃ、１０２ｄがＰＳＴＮ  １０８、インターネット１１０、および／または他のネットワーク１１２にアクセスするためのゲートウェイとして働くこともできる。ＰＳＴＮ  １０８は、ＰＯＴＳ（Ｐｌａｉｎ  Ｏｌｄ  Ｔｅｌｅｐｈｏｎｅ  Ｓｅｒｖｉｃｅ）を提供する回線交換電話網を含むことができる。インターネット１１０は、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）インターネットプロトコルスイート内のＴＣＰ、ＵＤＰ（ユーザデータグラムプロトコル）、およびＩＰなどの一般的な通信プロトコルを使用する相互接続されたコンピュータネットワークおよびデバイスの全世界のシステムを含むことができる。ネットワーク１１２は、他のサービスプロバイダによって所有および／または運営される有線または無線の通信ネットワークを含むことができる。たとえば、ネットワーク１１２は、１つまたは複数のＲＡＮに接続された別のコアネットワークを含むことができ、この１つまたは複数のＲＡＮは、ＲＡＮ  １０４と同一のＲＡＴまたは異なるＲＡＴを使用することができる。
【００３２】
通信システム１００内のＷＴＲＵ  １０２ａ、１０２ｂ、１０２ｃ、１０２ｄのうちのいくつかまたはすべては、マルチモード能力を含むことができる、すなわち、ＷＴＲＵ  １０２ａ、１０２ｂ、１０２ｃ、１０２ｄは、異なる無線リンクを介して異なる無線ネットワークと通信するために複数のトランシーバを含むことができる。たとえば、図１Ａに示されたＷＴＲＵ  １０２ｃを、セルラベースの無線技術を使用することができる基地局１１４ａおよびＩＥＥＥ  ８０２無線技術を使用することができる基地局１１４ｂと通信するように構成することができる。
【００３３】
図１Ｂは、例のＷＴＲＵ  １０２のシステム図である。図１Ｂに示されているように、ＷＴＲＵ  １０２は、プロセッサ１１８、トランシーバ１２０、送信／受信要素１２２、スピーカ／マイクロホン１２４、キーパッド１２６、ディスプレイ／タッチパッド１２８、ノンリムーバブルメモリ１０６、リムーバブルメモリ１３２、電源１３４、ＧＰＳ（全地球測位システム）チップセット１３６、および他の周辺機器１３８を含むことができる。ＷＴＲＵ  １０２が、実施形態と一貫したままでありながら前述の要素の任意の副組合せを含むことができることを了解されたい。
【００３４】
プロセッサ１１８を、汎用プロセッサ、特殊目的プロセッサ、従来のプロセッサ、ＤＳＰ（Ｄｉｇｉｔａｌ  Ｓｉｇｎａｌ  Ｐｒｏｃｅｓｓｏｒ）、複数のマイクロプロセッサ、ＤＳＰコアに関連する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、任意の他の種類のＩＣ（集積回路）、状態機械、および類似物とすることができる。プロセッサ１１８は、信号符号化、データ処理、電力制御、入出力処理、および／またはＷＴＲＵ  １０２が無線環境内で動作することを可能にする任意の他の機能性を実行することができる。プロセッサ１１８を、トランシーバ１２０に結合することができ、トランシーバ１２０を、送信／受信要素１２２に結合することができる。図１Ｂは、別々のコンポーネントとしてプロセッサ１１８およびトランシーバ１２０を示すが、プロセッサ１１８およびトランシーバ１２０を、電子パッケージまたはチップ内に一緒に一体化することができることを了解されたい。
【００３５】
エアインターフェース１１６を介して基地局（たとえば、基地局１１４ａ）へ信号を送信または基地局から信号を受信するように、送信／受信要素１２２を構成することができる。たとえば、一実施形態では、送信／受信要素１２２を、ＲＦ信号を送信および／または受信するように構成されたアンテナとすることができる。別の実施形態では、送信／受信要素１２２を、たとえばＩＲ、ＵＶ、または可視光信号を送信および／または受信するように構成されたエミッタ／検出器とすることができる。さらに別の実施形態では、送信／受信要素１２２を、ＲＦ信号と光信号との両方を送信および受信するように構成することができる。送信／受信要素１２２を、無線信号の任意の組合せを送信および／または受信するように構成することができることを了解されたい。
【００３６】
さらに、送信／受信要素１２２は、図１Ｂでは単一の要素として図示されているが、ＷＴＲＵ  １０２は、任意の個数の送信／受信要素１２２を含むことができる。より具体的には、ＷＴＲＵ  １０２は、ＭＩＭＯ技術を使用することができる。したがって、一実施形態では、ＷＴＲＵ  １０２は、エアインターフェース１１６を介して無線信号を送信および受信する２つ以上の送信／受信要素１２２（たとえば、複数のアンテナ）を含むことができる。
【００３７】
送信／受信要素１２２によって送信される信号を変調し、送信／受信要素１２２によって受信される信号を復調するように、トランシーバ１２０を構成することができる。上で注記したように、ＷＴＲＵ  １０２は、マルチモード能力を有することができる。したがって、トランシーバ１２０は、ＷＴＲＵ  １０２がたとえばＵＴＲＡおよびＩＥＥＥ  ８０２．１１などの複数のＲＡＴを介して通信することを可能にする複数のトランシーバを含むことができる。
【００３８】
ＷＴＲＵ  １０２のプロセッサ１１８は、スピーカ／マイクロホン１２４、キーパッド１２６、および／またはディスプレイ／タッチパッド１２８（たとえば、ＬＣＤ（液晶ディスプレイ）表示ユニットまたはＯＬＥＤ（有機発光ダイオード）表示ユニット）に結合され、またはこれらからユーザ入力データを受け取ることができる。プロセッサ１１８は、ユーザデータをスピーカ／マイクロホン１２４、キーパッド１２６、および／またはディスプレイ／タッチパッド１２８に出力することもできる。さらに、プロセッサ１１８は、ノンリムーバブルメモリ１０６および／またはリムーバブルメモリ１３２などの任意の種類の適切なメモリからの情報にアクセスし、そのメモリにデータを格納することができる。ノンリムーバブルメモリ１０６は、ＲＡＭ（ランダムアクセスメモリ）、ＲＯＭ（読取り専用メモリ）、ハードディスク、または任意の他の種類のメモリストレージデバイスを含むことができる。リムーバブルメモリ１３２は、ＳＩＭ（Ｓｕｂｓｃｒｉｂｅｒ  Ｉｄｅｎｔｉｔｙ  Ｍｏｄｕｌｅ）カード、メモリスティック、ＳＤ（Ｓｅｃｕｒｅ  Ｄｉｇｉｔａｌ）メモリカード、および類似物を含むことができる。他の実施形態では、プロセッサ１１８は、サーバ上またはホームコンピュータ（図示せず）上など、ＷＴＲＵ  １０２上に物理的に配置されていないメモリからの情報にアクセスし、そのメモリにデータを格納することができる。
【００３９】
プロセッサ１１８は、電源１３４から電力を受け取ることができ、ＷＴＲＵ  １０２内の他のコンポーネントに電力を分配するようにおよび／または電力を制御するように構成することができる。電源１３４は、ＷＴＲＵ  １０２に電力を供給する任意の適切なデバイスとすることができる。たとえば、電源１３４は、１つまたは複数の乾電池（たとえば、ＮｉＣｄ（ニッケル−カドミウム）、ＮｉＺｎ（ニッケル−亜鉛）、ＮｉＭＨ（ニッケル水素）、リチウムイオン（Ｌｉ−ｉｏｎ）、その他）、太陽電池、燃料電池、および類似物を含むことができる。
【００４０】
プロセッサ１１８を、ＧＰＳチップセット１３６に結合することもでき、ＧＰＳチップセット１３６を、ＷＴＲＵ  １０２の現在ロケーションに関するロケーション情報（たとえば、経度および緯度）を提供するように構成することができる。ＧＰＳチップセット１３６からの情報に加えてまたはその代わりに、ＷＴＲＵ  １０２は、基地局（たとえば、基地局１１４ａ、１１４ｂ）からエアインターフェース１１６を介してロケーション情報を受信し、および／または２つ以上の近くの基地局から受信されつつある信号のタイミングに基づいてそのロケーションを判定することができる。ＷＴＲＵ  １０２が、実施形態と一貫したままでありながら任意の適切なロケーション判定方法によってロケーション情報を獲得できることを了解されたい。
【００４１】
プロセッサ１１８を、他の周辺機器１３８にさらに結合することができ、他の周辺機器１３８は、追加の特徴、機能性、および／または有線もしくは無線の接続性を提供する１つまたは複数のソフトウェアモジュールおよび／またはハードウェアモジュールを含むことができる。たとえば、周辺機器１３８は、加速度計、ｅコンパス、衛星トランシーバ、デジタルカメラ（写真またはビデオ用）、ＵＳＢ（Ｕｎｉｖｅｒｓａｌ  Ｓｅｒｉａｌ  Ｂｕｓ）ポート、振動デバイス、テレビジョントランシーバ、ハンズフリーヘッドセット、Ｂｌｕｅｔｏｏｔｈ（登録商標）モジュール、ＦＭ（周波数変調）ラジオユニット、ディジタル音楽プレイヤ、メディアプレイヤ、ビデオゲームプレイヤモジュール、インターネットブラウザ、および類似物を含むことができる。
【００４２】
図１Ｃは、一実施形態によるＲＡＮ  １０４およびコアネットワーク１０６のシステム図である。上で注記したように、ＲＡＮ  １０４は、エアインターフェース１１６を介してＷＴＲＵ  １０２ａ、１０２ｂ、１０２ｃと通信するのにＵＴＲＡ無線技術を使用することができる。ＲＡＮ  １０４を、コアネットワーク１０６と通信しているものとすることもできる。図１Ｃに示されているように、ＲＡＮ  １０４は、Ｎｏｄｅ−Ｂ  １４０ａ、１４０ｂ、１４０ｃを含むことができ、Ｎｏｄｅ−Ｂ  １４０ａ、１４０ｂ、１４０ｃは、それぞれ、エアインターフェース１１６を介してＷＴＲＵ  １０２ａ、１０２ｂ、１０２ｃと通信する１つまたは複数のトランシーバを含むことができる。Ｎｏｄｅ−Ｂ  １４０ａ、１４０ｂ、１４０ｃを、それぞれ、ＲＡＮ  １０４内の特定のセル（図示せず）に関連付けることができる。ＲＡＮ  １０４は、ＲＮＣ  １４２ａ、１４２ｂを含むこともできる。ＲＡＮ  １０４が、実施形態と一貫したままでありながら任意の個数のＮｏｄｅ−ＢおよびＲＮＣを含むことができることを了解されたい。
【００４３】
図１Ｃに示されているように、Ｎｏｄｅ−Ｂ  １４０ａ、１４０ｂは、ＲＮＣ  １４２ａと通信していることができる。さらに、Ｎｏｄｅ−Ｂ  １４０ｃは、ＲＮＣ  １４２ｂと通信していることができる。Ｎｏｄｅ−Ｂ  １４０ａ、１４０ｂ、１４０ｃは、Ｉｕｂインターフェースを介してそれぞれのＲＮＣ  １４２ａ、１４２ｂと通信することができる。ＲＮＣ  １４２ａ、１４２ｂは、Ｉｕｒインターフェースを介してお互いと通信していることができる。ＲＮＣ  １４２ａ、１４２ｂのそれぞれを、それが接続されるそれぞれのＮｏｄｅ−Ｂ  １４０ａ、１４０ｂ、１４０ｃを制御するように構成することができる。さらに、ＲＮＣ  １４２ａ、１４２ｂのそれぞれを、外側ループ電力制御、負荷制御、アドミッション制御、パケットスケジューリング、ハンドオーバ制御、マクロダイバーシティ、セキュリティ機能、データ暗号化、および類似物などの他の機能性を実行しまたはサポートするように構成することができる。
【００４４】
図１Ｃに示されたコアネットワーク１０６は、ＭＧＷ（メディアゲートウェイ）１４４、ＭＳＣ（Ｍｏｂｉｌｅ  Ｓｗｉｔｃｈｉｎｇ  Ｃｅｎｔｅｒ）１４６、ＳＧＳＮ（Ｓｅｒｖｉｎｇ  ＧＰＲＳ  Ｓｕｐｐｏｒｔ  Ｎｏｄｅ）１４８、および／またはＧＧＳＮ（Ｇａｔｅｗａｙ  ＧＰＲＳ  Ｓｕｐｐｏｒｔ  Ｎｏｄｅ）１５０を含むことができる。前述の要素のそれぞれが、コアネットワーク１０６の一部として図示されているが、これらの要素の任意の１つが、コアネットワークオペレータ以外のエンティティによって所有および／または運営される場合があることを了解されたい。
【００４５】
ＲＡＮ  １０４内のＲＮＣ  １４２ａを、ＩｕＣＳインターフェースを介してコアネットワーク１０６内のＭＳＣ  １４６に接続することができる。ＭＳＣ  １４６を、ＭＧＷ  １４４に接続することができる。ＭＳＣ  １４６およびＭＧＷ  １４４は、ＰＳＴＮ  １０８などの回線交換ネットワークへのアクセスをＷＴＲＵ  １０２ａ、１０２ｂ、１０２ｃに与えて、ＷＴＲＵ  １０２ａ、１０２ｂ、１０２ｃと従来の固定電話通信デバイスとの間の通信を容易にすることができる。
【００４６】
ＲＡＮ  １０４内のＲＮＣ  １４２ａを、ＩｕＰＳインターフェースを介してコアネットワーク１０６内のＳＧＳＮ  １４８に接続することもできる。ＳＧＳＮ  １４８を、ＧＧＳＮ  １５０に接続することができる。ＳＧＳＮ  １４８およびＧＧＳＮ  １５０は、インターネット１１０などのパケット交換ネットワークへのアクセスをＷＴＲＵ  １０２ａ、１０２ｂ、１０２ｃに与えて、ＷＴＲＵ  １０２ａ、１０２ｂ、１０２ｃとＩＰ対応デバイスとの間の通信を容易にすることができる。
【００４７】
上で注記したように、コアネットワーク１０６を、ネットワーク１１２に接続することもでき、ネットワーク１１２は、他のサービスプロバイダによって所有および／または運営される他の有線ネットワークまたは無線ネットワークを含むことができる。
【００４８】
１つまたは複数の周波数内で１つより多くのＨＳ−ＤＳＣＨセルを介する送信をスケジューリングし、および受信する方法を、下で説明する。マルチセルＨＳ−ＤＳＣＨ受信が使用可能にされ、構成され、および／またはアクティブ化される時に、ネットワークは、ＷＴＲＵをアドレッシング（ａｄｄｒｅｓｓ）し、ＨＳ−ＤＳＣＨセルを介する送信をスケジューリングすることができる必要がある。複数のセルを介して１つのトランスポートブロックに属するデータ送信を実行する方法は、両方のセルを介して同一の信号を送信することと、共通の符号化ブロックを使用するが２つのセルを介して送信される異なる信号を使用することと、トランスポートブロックを２つのセルにまたがって分割することと、マルチポイント送信を受信し、スケジューリングすることとを含む。
【００４９】
すべてのセルを介して同一の信号を送信する際に、ネットワークは、同一のデータトランスポートブロックを主サービングセルと副サービングセルとの両方を介してＷＴＲＵに送信する（たとえば、デュアルセル動作のように）。図２の重複するエリアに示されているように、チャネル符号化、レートマッチング、ＲＶ（Ｒｅｄｕｎｄａｎｔ  Ｖｅｒｓｉｏｎ）選択、拡散、およびスクランブリングなどのＨＳ−ＰＤＳＣＨデータに対する同一の処理が、すべてのセル内で行われる。その結果、同一の信号波形（Ｓ）が、各セルのアンテナで送信される。これらの信号は、無線で異なる伝搬経路を介して組み合わされる。トランスポートブロックにアタッチ（ａｔｔａｃｈ）される１つのＣＲＣだけがあり、両方のセルがこの動作のモードについて同一のＲＶを共有するので、ＨＡＲＱプロセスを、１つのセルだけが送信しつつあるかのように維持することができる。
【００５０】
図２では、主サービングセル２０２と副サービングセル２０４との両方が、ＨＳ−ＰＤＳＣＨデータトランスポートブロック２０６を受信する。セル２０２と２０４との両方が、処理機能の同一のセット（２０８）を有して、ＷＴＲＵ  ２１２への送信のための信号Ｓ  ２１０を生成する。
【００５１】
この動作モードについてＷＴＲＵをアドレッシングするためにダウンリンクＨＳ−ＰＤＳＣＨ送信をスケジューリングする１つの方法では、ネットワークは、１つのＨＳ−ＳＣＣＨを使用して、両方のセルを介するデータ送信をスケジューリングすることができる。なぜなら、両方のセルを介する信号が同一であるからである。あるいは、すべてのセルが、同一のスクランブリング符号を使用して同一のＨＳ−ＳＣＣＨ信号を送信して、クロスサイトダイバーシティを達成する。あるいは、異なるスクランブリング符号を、両方のセルを介するＨＳ−ＳＣＣＨの送信に使用することができる。
【００５２】
ＷＴＲＵが、特定のサブフレームでの支援送信（ａｓｓｉｓｔｉｖｅ  ｔｒａｎｓｍｉｓｓｉｏｎ）を知り、その結果、データ受信を最適化するためにその受信機を調整できるようになることが望ましい可能性がある。たとえば、ＷＴＲＵは、副サービングセルを介するデータ経路上でチャネル推定の実行を開始し、その高度な受信機での利得を最大にすることができる。ＷＴＲＵに、ＨＳ−ＳＣＣＨ制御チャネルまたは他のＬ１チャネルを介して支援送信について動的に通知することができる。
【００５３】
この動作モードでは、ＷＴＲＵを、さらに、ＭＩＭＯまたはビームフォーミング（ＢＦ）を用いて構成することができる。しかし、２つのセルによって使用されるプリコーディング重みは、伝搬経路の差に起因して、最適設計について異なる可能性がある。したがって、２セットのプリコーディング重み情報（ＰＷＩ）ビットを、ＨＳ−ＳＣＣＨを介してＷＴＲＵに報告することができる。２つのセルから同一の信号を送信する動作モードをサポートするのに必要なＨＳ−ＳＣＣＨ設計を変更して、ＴＴＩごとに支援送信の指示および／または副サービングセルのＰＷＩ報告を含めることができる。
【００５４】
この動作モードの小さい変形として、２つのセルでのスクランブリング符号を、図３に示されているように異なるものとすることができる。２つの異なるスクランブリング符号を使用することによって、２つの異なる信号（Ｓ１、Ｓ２）が生成される。ＷＴＲＵは、２つの信号が同様であると考えられるときには必ず、任意のより後の処理ステージで、関連するスクランブリング符号およびソフトコンバイニングに従って復調を実行することができる。
【００５５】
図３では、主サービングセル３０２と副サービングセル３０４との両方が、ＨＳ−ＰＤＳＣＨデータトランスポートブロック３０６を受信する。セル３０２と３０４との両方が、ＣＲＣアタッチメント、チャネル符号化、レートマッチング、ＨＡＲＱ  ＲＶ選択、物理チャネルマッピング、および拡散（３０８）をブロックに対して同様に実行する。主サービングセル３０２は、スクランブリング（３１０）を実行して、ＷＴＲＵ  ３１４への送信用の信号Ｓ１  ３１２を生成する。同様に、副サービングセル３０４は、異なるスクランブリング（３２０）を実行して、ＷＴＲＵ  ３１４への送信用の信号Ｓ２  ３２２を生成する。
【００５６】
この構成を、ＷＴＲＵが少なくとも２つのアンテナを備え、したがって２つのセルからの２つの信号を２つのセルの空間差によって効果的に分離できる場合に適用可能とすることができる。分離の問題を軽減するために、プリコーディング重みを、２つのセルの送信アンテナにまたがって適用することができる。この形で、ＭＩＭＯ多重化の利得を、２つのセルのアンテナにまたがって達成することができる。
【００５７】
支援送信に用いられる副サービングセルについて、ＣＰＩＣＨと表されるそのパイロットチャネルは、ネットワークによってこのセルに割り当てられたスクランブリング符号を用いて送信されなければならない。なぜなら、このセルが、このセルを主サービングセルと考える他のＷＴＲＵにサービスするためにその主タスクを実行しなければならないからである。チャネル推定は、通常、ＣＰＩＣＨに基づいて実行されるので、この制限は、ＷＴＲＵ受信機機能がデュアルスクランブリング符号を処理するように変更されることを必要とする可能性があり、この変更は、２つの不利益をもたらす可能性がある。第１に、動作が、単一の送信モードに対して透過的ではなく、ＷＴＲＵは、ＴＴＩごとに支援送信モードについて知らされなければならない。第２に、受信機の機能変更が可能ではないレガシＷＴＲＵが、複数ポイント送信の利益を享受できない可能性がある。
【００５８】
解決策として、追加のＣＰＩＣＨを、主セルと同一のスクランブリング符号を使用して副サービングセルを介して送信することができる。オリジナルＣＰＩＣＨ（１つまたは複数）は、それでも、このセルに割り当てられたスクランブリング符号を使用して送信される。拡散係数が、ＣＰＩＣＨについて大きく（２５６）、ＷＣＤＭＡセルラシステムが、複数の共存するスクランブリング符号を可能にするために設計されているので、支援パイロットチャネルを追加することによって作られる干渉は、制御しやすいものでなければならない。この解決策を、図４に示す。
【００５９】
図４では、主サービングセル４０２と副サービングセル４０４との両方が、ＨＳ−ＰＤＳＣＨデータトランスポートブロック４０６を受信する。セル４０２と４０４との両方が、ブロック（４０８）を同様に処理して、支援されるＷＴＲＵ  ４１２への送信用の信号Ｓ  ４１０を生成する。副サービングセル４０４は、支援ＣＰＩＣＨ（ａｓｓｉｓｔｉｖｅ  ＣＰＩＣＨ）信号４２０を支援されるＷＴＲＵ  ４１２に送信し、支援ＣＰＩＣＨ信号４２０は、別のＷＴＲＵ  ４２４によってＣＰＩＣＨ信号４２２としても扱われる。
【００６０】
図４に示された構成を用いると、支援送信は、すべてのＷＴＲＵに透過的である。というのは、チャネル推定を、従来の受信機構造によって２つのセルへの両方の受信経路について効果的に実行することができるからである。副サービングセルからの信号を、追加の複数の経路として扱うことができる。
【００６１】
支援ＣＰＩＣＨの設計は、さらに、次のうちの１つまたは複数を含むことができる。支援ＣＰＩＣＨを、絶えず送信されるのではないものとすることができ、支援ＨＳ−ＰＤＳＣＨ（ａｓｓｉｓｔｉｖｅ  ＨＳ−ＰＤＳＣＨ）送信が行われつつあるサブフレームでのみ送信することができる。ＨＳ−ＰＤＳＣＨに関する同一のクロスセルプリコーディングを、支援ＣＰＩＣＨに適用して、クロスセルビームフォーミング効果を持たせ、他のＷＴＲＵに対するその干渉を軽減させることができる。副サービングセル内で送信される他の物理チャネルに対する相対的な支援ＣＰＩＣＨの電力を、動的に可変として、ＭＰ利得を最大にし、オーバーヘッドを最小にすることができる。
【００６２】
共通の符号化ブロックを使用するが、２つのセルを介して異なる信号を送信するときには、ネットワークは、同一の情報または同一のトランスポートブロックサイズを、２つのＨＳ−ＤＳＣＨセルを介してＷＴＲＵに送信する。これを、同一のスクランブリング符号を使用して両方のセルによって、または異なるスクランブリング符号を使用して両方のセルによって、実行することができる。無線で送信される信号は、データの同一のトランスポートブロックがＷＴＲＵに送信されることが意図される場合であっても、２つのセルについて必ずしも同一ではない場合がある。これは、副サービングセルが、送信のために符号化されたデータの異なる部分（すなわち、異なるＲＶ（Ｒｅｄｕｎｄａｎｔ  Ｖｅｒｓｉｏｎ））または異なる変調を選択できるからである。異なるＲＶの使用の例を、図５に示す。
【００６３】
図５では、主サービングセル５０２と副サービングセル５０４との両方が、ＨＳ−ＰＤＳＣＨデータトランスポートブロック５０６を受信する。セル５０２と５０４との両方が、ＣＲＣアタッチメント、チャネル符号化、およびレートマッチング（５０８）をブロックに対して同様に実行する。主サービングセル５０２は、ＨＡＲＱ  ＲＶ選択、物理チャネルマッピング、拡散、およびスクランブリング（５１０）を実行して、ＷＴＲＵ  ５１４への送信用の信号Ｓ１  ５１２を生成する。同様に、副サービングセル５０４は、異なるＨＡＲＱ  ＲＶ選択、物理チャネルマッピング、拡散、およびスクランブリング（５２０）を実行して、ＷＴＲＵ  ５１４への送信用の信号Ｓ２  ５２２を生成することができる。
【００６４】
支援送信は、２つの送信に含まれるデータを関連付ける手段が容易にされる限り、必ずしも主送信と同一のサブフレーム内で送信されない場合がある。この動作モードについて、２つのサービングセルは、同一周波数で動作することを要求されないものとすることができる。２つのセルからの信号のソフトコンバイニングを、受信機処理のより後のステージで記号レベルで実行することができるので、副サービングセルからの支援送信を、異なる周波数帯を用いて構成することができる。
【００６５】
ＨＡＲＱレベルでのソフトコンバイニングについて、各セルは、そのＲＶ選択をサブフレームごとにＨＳ−ＳＣＣＨメッセージ内で示すことを要求される。ネットワークスケジューラは、同一のＲＶを用いる複数の送信または再送信をスケジューリングする柔軟性を有することができる。ＷＴＲＵでは、同一のＲＶを有するデータパケットが受信された後に、ＷＴＲＵは、まずこれらのパケットのうちの１つに対して単純なチェースコンバイニング（ｃｈａｓｅ  ｃｏｍｂｉｎｉｎｇ）を実行し、その後、これをＨＡＲＱレベルで他のパケットと組み合わせることができる。あるいは、２つのＲＶの関係を定義する所定のルールが指定され、ＲＶのうちの１つのみの選択は、ＨＳ−ＳＣＣＨ内でシグナリングされる。ＨＳ−ＳＣＣＨの受信時に、ＷＴＲＵは、このルールを適用することによって副セルのＲＶを判定する。たとえば、副セルのＲＶを、主セルのＲＶに事前定義のテーブル内のオフセット（たとえば、＋１）を加えたものと同等とすることができる。
【００６６】
図６に示されているように、２つのセルにわたるトランスポートブロックの分割は、ＣＲＣがトランスポートブロックにアタッチされた後にデータを分割することを可能にする。主サービングセル６０２と副サービングセル６０４との両方が、ＨＳ−ＰＤＳＣＨデータトランスポートブロック６０６を受信する。セル６０２と６０４との両方が、ブロックに対するＣＲＣアタッチメント（６０８）を同様に実行する。主サービングセル６０２は、チャネル符号化、レートマッチング、ＨＡＲＱ  ＲＶ選択、物理チャネルマッピング、拡散、およびスクランブリング（６１０）を実行して、ＷＴＲＵ  ６１４への送信用の信号Ｓ１  ６１２を生成する。同様に、副サービングセル６０４は、チャネル符号化、レートマッチング、ＨＡＲＱ  ＲＶ選択、物理チャネルマッピング、拡散、およびスクランブリング（６２０）を実行して、ＷＴＲＵ  ６１４への送信用の信号Ｓ２  ６２２を生成する。２つのセル６０２、６０４上の送信処理機能（チャネル符号化、レートマッチング、ＨＡＲＱ  ＲＶ選択、物理チャネルマッピング、拡散、およびスクランブリング）を、独立にすることができ、これは、符号化レート、変調、スクランブリングなどを、セルにまたがって異なるまたは同一とすることができることを意味する。
【００６７】
トランスポートブロックを、両方のセルの伝搬経路に関するＷＴＲＵから報告されたＣＱＩに従って比例して分割することができる。一実施態様例では、ＴＢ１が、主サービングセルのＣＱＩおよび他のスケジューリング判断によって示される好ましいトランスポートブロックサイズであるものとし、ＴＢ２が、副サービングセルに関する好ましいＴＢサイズであるものとする。総トランスポートブロックサイズは、ＴＢ＝ＴＢ１＋ＴＢ２によって決定される。ＴＢ１と等しいサイズのデータが、主サービングセルによって処理され、ＷＴＲＵに送信される。残りのデータは、送信のために副サービングセルに委ねられる。あるいは、２つのセルが等しい量のデータを送信することを可能にする均等分割方式を採用することができ、または、所定のルールを使用してデータをどのように分割すべきかを決定することができる。
【００６８】
代替の方法では、データを、変調が実行された後に送信ポイントにまたがって異なるレイヤに分割することができる。より具体的には、変調された信号を、送信ポイントにまたがって所定のルールに従って分割することができる。
【００６９】
データをどのように分割しなければならないのかを、ＨＳ−ＳＣＣＨシグナリングを介してＷＴＲＵに明示的に示すことができる。より具体的には、別々のトランスポートブロックサイズまたはサイズを示す別々のビット数を、ＷＴＲＵにシグナリングすることができる。ＷＴＲＵは、それに応じてＨＳ−ＤＰＳＣＨを復号する。あるいは、ＷＴＲＵは、１つのＨＳ−ＳＣＣＨ（たとえば、主）からすべての情報を受信し、および所定のルールを使用して各セルを介して送信されるビット数を判定する。ＷＴＲＵを、この送信方式を用いて半静的にまたは動的に構成することができ、ここで、ＴＢが分割されたか否かは、事前に決定されるルールのいずれかに従って明示的に示される。この指示を受信した時に、ＷＴＲＵは、各ポイントまたはセルからのデータを独立に復号し、データを組み合わせることができる。
【００７０】
１つのＣＲＣだけが、合同トランスポートブロックにアタッチされるので、ＷＴＲＵは、全体としてトランスポートブロック全体を肯定応答することができる。したがって、２つのセルが送信に用いられる場合であっても、１つのＨＡＲＱ機能だけが必要である。ＮＡＣＫがネットワークに送信された後に、両方のセルが、ＨＡＲＱ再送信で同時にデータを再送信する。
【００７１】
２つのセルからの分割送信をシグナリングするために、既存のＨＳ−ＳＣＣＨメッセージを、各セル上で同時に再利用することができる。相違は、メッセージ内で示されるトランスポートブロックサイズが、トランスポートブロック全体に関するのではなく、分割の後のデータブロックサイズであることである。同一のまたは異なるスクランブリング符号を、この形でのデータの送信に使用することができ、異なる重みを、各セル送信に適用することができる。
【００７２】
マルチポイント送信の受信およびスケジューリングを実行する方法を、下で説明する。送信モードまたは受信モードを、ＲＲＣシグナリングを介してＷＴＲＵ内で半静的に構成することができ、あるいは、より動的な送信モードを実行することができる。これは、ＷＴＲＵが、複数のポイントにわたって複数の異なる送信方式のいずれにも従ってデータを受信することを可能にする。
【００７３】
ＷＴＲＵをスケジューリングする１つの方法では、ネットワークは、１つのＨＳ−ＳＣＣＨを使用して、両方のセルを介するデータ送信をスケジューリングすることができる。このＨＳ−ＳＣＣＨを、サービングＨＳ−ＤＳＣＨセル上または副セル上で送信することができる。この解決策について、ＷＴＲＵは、主ＨＳ−ＤＳＣＨセルのＨＳ−ＳＣＣＨ符号セットを監視するのみである。ＷＴＲＵが、そのＷＴＲＵ専用のＨＳ−ＳＣＣＨを検出し、本明細書で説明した解決策のいずれかに従って、データが両方のセルを介してスケジューリングされることを知ったときに、ＷＴＲＵは、ＨＳ−ＳＣＣＨで受信した情報に従って、両方のセル上でＨＳ−ＰＤＳＣＨ（１つまたは複数）を受信し始めることができる。あるいは、１つのＨＳ−ＳＣＣＨだけが、２つのセルを介する送信を示すのに使用される場合であっても、このＨＳ−ＳＣＣＨを、主ＨＳ−ＳＣＣＨまたは副ＨＳ−ＳＣＣＨを介して送信することができる。
【００７４】
マルチポイント送信方式に依存して、ＨＳ−ＳＣＣＨタイプを変更して、ＷＴＲＵがデータを正常に復号することを可能にする追加情報を含めることができる。より具体的には、新しいＨＳ−ＳＣＣＨ設計を導入して、副サービングセル上のデータを完全に復号するのに必要な追加情報をシグナリングすることができる。この新しいＨＳ−ＳＣＣＨ設計は、ＨＳ−ＳＣＣＨに関するレートマッチングアルゴリズムの変更を必要とする可能性がある。ＷＴＲＵを、半静的構成に基づいてこのタイプのＨＳ−ＳＣＣＨを復号するように構成することができる。
【００７５】
あるいは、１つのＨＳ−ＳＣＣＨだけがＷＴＲＵをスケジューリングするのに使用される場合であっても、同一のＨＳ−ＳＣＣＨを、すべての送信ポイントにまたがって送信して（たとえば、信号波形において同一）、セルエッジでのＨＳ−ＳＣＣＨ送信の信頼性を高めるためにクロスサイトダイバーシティを達成することができる。あるいは、同一のＨＳ−ＳＣＣＨを、すべての送信ポイントを介して、しかしＨＳ−ＳＣＣＨごとに異なるスクランブリング符号を使用して、繰り返すことができる。
【００７６】
第２の方法では、２つのＨＳ−ＳＣＣＨを使用して、２つのセルを介する送信をスケジューリングする。送信方式に依存して、ＨＳ−ＳＣＣＨは、同一の情報を含むことができ、ＷＴＲＵは、支援送信が両方のセルを介して行われつつあることを知り、物理層で組合せを実行する。あるいは、ＨＳ−ＳＣＣＨは、類似する情報のサブセットと、異なる情報のサブセットとを含むことができる。より具体的には、各セルのＨＳ−ＳＣＣＨは、各セル上で個別にデータを復号するのに必要な情報を含むことができ、したがって、ＰＷＩ、ＲＶ、変調その他などであるがこれに限定されないある種の情報が異なる場合に、シグナリングされる情報の一部が異なる可能性がある。しかし、同一のＨＳ−ＳＣＣＨタイプ（たとえば、タイプ３またはタイプ１）が、両方のセルを介してシグナリングされる。
【００７７】
第３の方法では、２つのセルを介して送信されるＨＳ−ＰＤＳＣＨは、必ずしも同一の情報を含まないものとすることができる。より具体的には、同一のトランスポートブロックが送信されつつある場合であっても、ネットワークは、たとえば、２つのセルを介して送信されるデータの異なるＲＶもしくは異なる変調フォーマット、または、おそらくは同一のもしくは異なるスクランブリング符号を用いる異なるプリコーディング重み情報を使用することができる。次いで、ＷＴＲＵは、データの２つのストリームを独立に復号し、ＨＡＲＱレベルまたは物理層でソフトコンバイニングを実行することができる。この情報をＷＴＲＵに提供するために、同一のタイプのＨＳ−ＳＣＣＨを使用して、各セル上でＨＳ−ＤＰＳＣＨを受信するのに必要な情報をシグナリングすることができる。
【００７８】
あるいは、１つのＨＳ−ＳＣＣＨを使用して、両方のセルを介するこのタイプのデータの送信をスケジューリングすることができ、そのＨＳ−ＳＣＣＨを、主セルを介して送信することができる。これは、新しいＨＳ−ＳＣＣＨタイプを必要とする可能性があり、新しい情報フィールドが、単一セル送信に必要な情報ビットに追加される。これは、副セル内で異なる可能性がある情報を含むことができる。たとえば、ＲＶが異なることが許容される場合には、ＨＳ−ＳＣＣＨは、副セルのＲＶフィールドを含むことができる。同様に、異なる変調方式が使用される場合には、副セル変調情報フィールドを、ＨＳ−ＳＣＣＨに追加することができる。
【００７９】
もう１つの代替案では、２つの異なるＨＳ−ＳＣＣＨタイプを、主ＨＳ−ＤＳＣＨセルおよび副ＨＳ−ＤＳＣＨセルを介して送信することができる。ＨＳ−ＤＰＳＣＨを復号するのに必要な一般情報を搬送するＨＳ−ＳＣＣＨは、主セルを介して送信される。これは、両方のセル上のＨＳ−ＤＰＳＣＨ送信に共通する情報と、主セル上で一意である可能性がある情報のセットとを含むことができる。共通のＨＳ−ＤＰＳＣＨ情報のセットは、トランスポートブロックサイズ、ＨＡＲＱプロセス情報、チャネライゼーション符号（ｃｈａｎｎｅｌｉｚａｔｉｏｎ  ｃｏｄｅ）セット、および変調方式（変更が許容されない場合）を含むことができるが、これに限定されない。主ＨＳ−ＤＳＣＨセル上でのデータの送信に一意である可能性がある情報は、ＷＴＲＵ識別情報、ＲＶ、変調方式、およびＰＷＩを含むことができるが、これに限定されない。
【００８０】
上記の情報が、例として使用され、ＨＳ−ＳＣＣＨタイプ１からの情報のリストを示すことを理解されたい。しかし、上の情報は、たとえばＨＳ−ＳＣＣＨタイプ３を用いる、ＭＩＭＯが使用される場合にも適用可能である。より具体的には、既存のＨＳ−ＳＣＣＨタイプを使用して、この情報を主セルを介してＷＴＲＵにシグナリングすることができ、新しいＨＳ−ＳＣＣＨタイプを、マルチポイントセルを介して送信することができる。
【００８１】
副セル上のＨＳ−ＳＣＣＨは、主ＨＳ−ＤＳＣＨ上および副ＨＳ−ＤＳＣＨ上の２つの送信の符号化を区別する情報のセットを提供することができる。より具体的には、副セル上のＨＳ−ＳＣＣＨは、ＨＳ−ＤＰＳＣＨ上のデータを復号するのに必要な情報のサブセットだけを含むことができる。上で説明した方法のいずれかについて副セル内のデータを復号するのに必要な追加情報（たとえば、両方のセルを介して送信される１つのＨＳ−ＳＣＣＨタイプまたは異なるセルを介して送信される２つのＨＳ−ＳＣＣＨタイプ）は、副セルで使用されるＲＶと、副セルで使用される変調方式と、副セルで使用されるＷＴＲＵ識別情報と、副サービングセルＰＷＩについて追加できる２つの追加ビットを含むプリコーディング重み情報と、たとえばネットワークが主ＨＳ−ＤＰＳＣＨとは異なるＨＳ−ＤＰＳＣＨ符号を介してＷＴＲＵをスケジューリングする場合のチャネライゼーション符号セットと、電力オフセットとのうちの少なくとも１つまたは組合せを参照することができる。
【００８２】
たとえば、ネットワークが、異なるＲＶを使用することを許容される場合に、ネットワークは、副ＨＳ−ＳＣＣＨを使用して、副ＨＳ−ＤＳＣＨ上のデータが使用しつつある異なるＲＶをシグナリングすることができる。副セル内のＷＴＲＵ識別情報、たとえばＨ−ＲＮＴＩ（ＨＳ−ＤＳＣＨ  Ｒａｄｉｏ  Ｎｅｔｗｏｒｋ  Ｔｅｍｐｏｒａｒｙ  Ｉｄｅｎｔｉｆｉｅｒ）は、主セル内で使用されるＷＴＲＵ識別情報と同一である場合があり、または、異なる識別情報が、ＷＴＲＵに割り当てられる場合がある。１つのＨＳ−ＳＣＣＨだけが使用される場合には、副セルのＷＴＲＵ識別情報は、追加情報として要求されない。
【００８３】
支援送信が、主サービングセルからのデータ送信とは異なるサブフレームで送信されることが許容される場合には、追加情報は、主サービングセルからの関連するデータが送信されたサブフレームに対するオフセットを含むことができる。あるいは、これを、主セルからのデータが送信された関連するＨＡＲＱプロセスＩＤを提供することによってシグナリングすることができる。より具体的には、この方式について、副セルを介して送信される新しいＨＳ−ＳＣＣＨタイプは、ＨＡＲＱプロセスＩＤを含むことができる。
【００８４】
この情報をシグナリングするために、新しいＨＳ−ＳＣＣＨタイプを、情報のこのサブセットだけを含む副ＨＳ−ＤＳＣＨセルのために使用することができる。ＷＴＲＵは、主ＨＳ−ＳＣＣＨの一般情報を使用して、ＨＳ−ＤＰＳＣＨを復号するのに必要な他のパラメータを判定することができる。
【００８５】
複数のセルを介する異なるデータブロックの送信方法を、下で説明する。別の動作モードでは、ネットワークは両方のセルを介して異なるデータを送信することができるが、そのデータは、同時には送信されない。２つのセルは、このモードについて同一周波数で動作していてもよいし、動作していなくてもよい。ＷＴＲＵを、どのセルを介してＨＳ−ＤＰＳＣＨデータが送信されようとしているかについての指示を伴って、主ＨＳ−ＤＳＣＨセルを介してスケジューリングすることができる。このスケジューリングを、ＴＴＩごとに動的に実行することができる。セルＩＤを含むようにＨＳ−ＳＣＣＨを変更する、２つのＨ−ＲＮＴＩを用いてＷＴＲＵを構成する、ＨＳ−ＳＣＣＨ符号を使用する、またはＨＡＲＱプロセスを使用する、という方法のうちの１つまたは組合せを使用して、ネットワークがＨＳ−ＤＰＳＣＨを送信するのに使用するセルをシグナリングすることができる。
【００８６】
ＨＳ−ＳＣＣＨを変更して、セルＩＤを含めることができ、このセルＩＤは、対応するＨＳ−ＤＰＳＣＨがそれを介して送信されようとしているセルを示す。たとえば、ビットに０がセットされている場合に、送信は、主セルを介し、そうでない場合には、副セルを介して送信される。あるいは、１つより多い副ＨＳ−ＤＳＣＨセルが同一周波数で構成される場合に、より多くのビットをＨＳ−ＳＣＣＨに追加して、セル番号を提供することができる。
【００８７】
ＷＴＲＵを、２つのＨ−ＲＮＴＩ、たとえば主および副を用いて構成することができる。ネットワークは、すべての主ＨＳ−ＤＰＳＣＨ送信に主Ｈ−ＲＮＴＩを使用し、すべての副ＨＳ−ＤＰＳＣＨ送信に副Ｈ−ＲＮＴＩを使用する。
【００８８】
たとえば、使用されるＨＡＲＱプロセスを識別するときに、ＨＡＲＱプロセスのサブセットが、主セル上の送信だけに使用され、別のサブセットが、副セル上の送信に使用される。
【００８９】
ＷＴＲＵは、ＨＳ−ＳＣＣＨ符号セット情報を与えられて、主セルおよび副セル上で監視するが、所与の時に１つのＨＳ−ＳＣＣＨセットだけを監視する。より具体的には、ネットワークは、レイヤ１シグナリングまたはレイヤ２シグナリングを介して、監視するセルを切り替えるようにＷＴＲＵに半動的に指示することができる。
【００９０】
一実装形態では、新しいレイヤ１メッセージは、ＷＴＲＵが現在監視しているＨＳ−ＤＳＣＨセルを変更するようにＷＴＲＵに命令することができる。このレイヤ１メッセージは、新しいＨＳ−ＳＣＣＨ命令に対応することができる。これを、新しい命令タイプ、たとえば、命令タイプｘodt,1、ｘodt,2、ｘodt,3＝‘０１０’を導入することによって実行することができる。その後、命令ビットを、それらが、アクティブであることができるまたはＷＴＲＵが監視を開始することのできるＨＳ−ＤＳＣＨセルを示すようにセットすることができる。たとえば、
予約済み、ｘord,1、ｘord,2＝ｘres,1、ｘres,2
監視すべきＨＳ−ＤＳＣＨセルｘord,3＝ｘhs-dsch,1
【００９１】
ｘhs-dsch,1＝‘０’である場合には、ＷＴＲＵは、主セルのＨＳ−ＳＣＣＨを監視する。ｘhs-dsch,1＝‘１’である場合には、ＷＴＲＵは、副セルのＨＳ−ＳＣＣＨを監視する。他の命令ビットは、将来の使用のためにまたは他の副セルの使用のために予約済みとすることができる。たとえば、単一の周波数内の２つより多いＨＳ−ＤＳＣＨセルが構成される場合には、ｘord,2ビットを、ｘord,3に類似する形で使用することができる。
【００９２】
あるいは、ＤＣ−ＨＳＤＰＡに使用される命令など、既存の命令を使用することができる。より具体的には、異なる周波数で副セルをアクティブ化または非アクティブ化するのに使用されるビットを使用して、ＨＳ−ＤＳＣＨセルを切り替えるようにＷＴＲＵに示すことができる。より具体的には、命令が、副セルをアクティブ化するように示す場合に（かつ、マルチポイント動作を用いて構成される場合に）、ＷＴＲＵは、ＨＳ−ＳＣＣＨ受信を同一周波数の副セルに切り替える。副セルを非アクティブ化する命令が与えられるときには、ＷＴＲＵは、フォールバックして、主ＨＳ−ＤＳＣＨセルでのＨＳ−ＳＣＣＨ受信を実行する。ＷＴＲＵが命令を受信するときに、ＷＴＲＵは、その受信機を示されたセルに再同調し、その命令を受信した時の新しいセルＸ  ＴＴＩのＨＳ−ＳＣＣＨを監視し始めることができ、Ｘは、事前定義の値である。
【００９３】
第２の実装形態では、ＭＡＣ（Ｍｅｄｉｕｍ  Ａｃｃｅｓｓ  Ｃｏｎｔｒｏｌ）制御プロトコルデータユニット（ＰＤＵ）を使用して、ＷＴＲＵが監視しなければならないＨＳ−ＤＳＣＨセル、たとえばセル番号をＷＴＲＵに示すことができる。ＭＡＣ制御ＰＤＵは、アクティブ化時間を示すことができ、ＷＴＲＵは、新しいセルの監視を、パケットの受信成功時に開始してもよいし、パケットの受信に成功した後にＸ  ＴＴＩに開始してもよい。
【００９４】
あるいは、ＷＴＲＵは、両方のセルのＨＳ−ＳＣＣＨを同時に監視するように構成されるが、一時に１つのセルを介するＨＳ−ＤＰＳＣＨデータだけを受信することができる。具体的には、ＷＴＲＵ  ＩＤを指定する同一のＨ−ＲＮＴＩが、両方のセルからのＨＳ−ＳＣＣＨメッセージに適用される。ＷＴＲＵが、セルのうちの１つからそれにアドレッシングされたＨＳ−ＳＣＣＨを受信する場合に、ＷＴＲＵは、このセルからの対応するＨＳ−ＰＤＳＣＨデータを復調し始める。
【００９５】
単一周波数でのＨＳ−ＤＳＣＨ動作の代替モードでは、異なるトランスポートブロックを、潜在的に両方のセルを介して同時に、２つのＨＳ−ＤＳＣＨセルを介して送信することができ、この両方のセルは、同一周波数で動作していてもよいし、動作していなくてもよい。図７では、主サービングセル７０２が、第１のＨＳ−ＰＤＳＣＨデータトランスポートブロック７０４を受信する。主サービングセル７０２は、ブロックを処理して（７０６）、ＷＴＲＵ  ７１０への送信用の信号Ｓ１  ７０８を生成する。副サービングセル７２０は、第２のＨＳ−ＰＤＳＣＨデータトランスポートブロック７２２を受信する。副サービングセル７２０は、ブロックを処理して（７２４）、ＷＴＲＵ  ７１０への送信用の信号Ｓ２  ７２６を生成する。
【００９６】
ＷＴＲＵを、２つのセルを介する２つの独立のＨＳ−ＳＣＣＨを使用することによってアドレッシングすることができる。より具体的には、ＷＴＲＵを、アクティブ化されたセルごとにＨＳ−ＳＣＣＨ符号セットを監視するように構成することができる。ＷＴＲＵが、セルのいずれかを介してそのＨ−ＲＮＴＩを検出する場合に、ＷＴＲＵは、そのセル上で対応するＨＳ−ＰＤＳＣＨを復号する。ＷＴＲＵをアドレッシングするこの形を用いると、上で説明した切替ベースの動作モードに対して動的に交替することを可能にすることができる。１つのＨＳ−ＳＣＣＨメッセージだけがセルのうちの１つから受信される場合には、ＷＴＲＵは、そのセルからのＨＳ−ＰＤＳＣＨだけを復号する。他のセルは、送信していないと考えることができる。
【００９７】
代替方法では、ＷＴＲＵが両方のセルからのＨＳ−ＳＣＣＨ（１つまたは複数）を監視することを避けるために、クロスセルスケジューリングを使用することができる。クロスセルスケジューリングの一例では、１つのＨＳ−ＳＣＣＨが、両方のセルの情報を搬送することができ、たとえば、両方のＨＳ−ＤＳＣＨセルに必要なすべての情報が、１つのＨＳ−ＳＣＣＨ上で送信され、このＨＳ−ＳＣＣＨを、主ＨＳ−ＤＳＣＨセル上でスケジューリングすることができる。これを、新しいＨＳ−ＳＣＣＨタイプ（たとえば、タイプ４）によるものまたは既存のＨＳ−ＳＣＣＨタイプ３によるものとすることができる。
【００９８】
異なる送信モードの間の動的スケジューリングを、下で説明する。上で説明したように、ＷＴＲＵは、マルチポイント動作でさまざまな送信モードを用いて動作することができる。実用的な展開では、動作モードの一部が、いくつかのチャネル条件で有利である場合があり、一方、他の動作モードが、他のシナリオでよりよい場合がある。たとえば、低ＳＮＲ条件では、両方のセルからの同一情報の合同送信が、最良の利得を提供する可能性がある。一方、高ＳＮＲでは、同一のＷＴＲＵへの各セルでの異なる情報の同時送信が、より有益である可能性がある。さまざまな動作モードの間での動的およびシームレスな切替を可能にするＨＳ−ＳＣＣＨ設計は、複数セル送信によって提供される性能利得を最大にすることを可能にすることができる。
【００９９】
支援送信が、特定のサブフレームで行われようとしているときに、最もありそうなことに、副サービングセルのすべてのデータリソースが、主セルと同一のスクランブリング符号または異なるスクランブリング符号のいずれかを使用する支援送信に使用可能にされる。そうでなければ、異なるチャネライゼーション符号を介して他のＷＴＲＵに同時にデータを送信することは、不必要な干渉を生成し、支援送信の利益を劣化させるはずである。
【０１００】
この仮定の下で、主セルと副セルと両方でＨＳ−ＰＤＳＣＨに使用されるチャネル符号を、事前に定義される形で同一または異なるものとすることができる。したがって、セルのうちの１つから送信されるＨＳ−ＳＣＣＨでのデータ送信に使用されるチャネライゼーション符号を示すフィールドを、所望のシグナリング目的のために使用可能にすることができる。
【０１０１】
異なる動作モードの間での動的な切替を可能にする１つの解決策では、２つのＨＳ−ＳＣＣＨが、元々はＲＲＣによって構成された各セルに関連する異なるスクランブリング符号を用いて送信され、その結果、これらを、ＷＴＲＵで正しく復調できるようになる。両方のセルのＨＳ−ＳＣＣＨについて同一のスクランブリング符号を使用するために、ＷＴＲＵは、ＷＴＲＵで２つのＨＳ−ＳＣＣＨを区別するために十分な空間ダイバーシティに頼るために少なくとも２つのアンテナを備えなければならない。両方のＨＳ−ＳＣＣＨを、同一のまたは異なるＨ−ＲＮＴＩを適用することによって同一のＷＴＲＵにアドレッシングすることができる。ＷＴＲＵが、副ＨＳ−ＤＳＣＨセルからそのＷＴＲＵにアドレッシングされたＨＳ−ＳＣＣＨを検出する場合に、そのＷＴＲＵは、マルチポイント送信が行われつつあると判定し、両方のＨＳ−ＤＳＣＨセル上で対応するＨＳ−ＰＤＳＣＨの受信を開始する。
【０１０２】
第１の方法では、ネットワークは、再構成なしに、データ送信に関する動作モードのうちの１つを動的に判定することができる。動作モードについてＷＴＲＵに知らせるために、副サービングセルによって送信されたＨＳ−ＳＣＣＨ内のチャネライゼーション指示フィールド全体を再利用して、動作モードを示すことができる。より具体的には、副ＨＳ−ＳＣＣＨ内でｘccs,1，ｘccs,2，…，ｘccs,7によって表されるチャネライゼーション符号セット情報ビットを、異なる動作モードをシグナリングするために再定義することができる。このフィールド内で２ビットを使用する一例を、表１に示す。
【０１０３】
【表１】
2018166346.tif 000003
【０１０４】
副ＨＳ−ＳＣＣＨ内の他のフィールドを、同一の使用法を用いて維持することができる。たとえば、トランスポートブロックサイズ情報を、それでも、副ＨＳ−ＰＤＳＣＨのトランスポートブロックサイズを示すというその元々の目的のために使用することができる。
【０１０５】
支援送信が、主データ送信とは異なるサブフレームで送信される場合には、フィールド内の追加ビットを、たとえば表２に示されているように使用して、主サービングセルからのデータが送信されるサブフレームへのオフセットを示すことができ、または、ＨＡＲＱプロセスＩＤを指定することができる。
【０１０６】
【表２】
2018166346.tif 000004
【０１０７】
動作モードの切替を、ＴＴＩごとに行うことができる。というのは、ＨＳ−ＳＣＣＨが送信される限り、動作モードを、すべてのＴＴＩに更新することができるからである。
【０１０８】
第２の方法では、チャネライゼーション符号セット情報ビットが、マルチポイント送信をシグナリングするのに部分的に使用される。ネットワークは、それでも、支援送信について異なるチャネライゼーション符号を示すことができる。Ｏが、開始符号を表し、Ｐが、データ送信に使用される符号の個数を表すものとすると、Ｏだけが、両方のセルについて同一であることを要求される場合がある。副サービングセルは、支援データ送信に使用される異なる個数のチャネライゼーション符号を示すことができる。したがって、異なるトランスポートブロックサイズを、副サービングセルを介してスケジューリングすることができる。具体的には、チャネライゼーション符号セット情報フィールドからのビットを、次のように、副サービングセルのために使用することができる。
【０１０９】
ｘccs,1が最上位ビット（ＭＳＢ）である最初の３ビット（符号グループインジケータ）について、
ｘccs1，ｘccs2，ｘccs3＝ｍｉｎ（Ｐ−１，１５−Ｐ）
であり、第４のビットは、
【０１１０】
【数１】
2018166346.tif 000005
【０１１１】
によって定義される。
【０１１２】
オプションで、ｘccs,1がＭＳＢである最初の４ビット（符号グループインジケータ）について
ｘccs,1，ｘccs,2，ｘccs,3，ｘccs,4＝Ｐ−１
である。
【０１１３】
チャネライゼーション符号セット情報フィールド内のビットの残りを使用して、動作モードをシグナリングすることができ、または、オプションで、支援データが主セルとは異なるサブフレーム内で送信される場合に、サブフレームオフセットをシグナリングすることができる。そのような使用の一例を、表２に関連して表３に示し、この例では、１ビットが、動作モードを示すのに使用され、２ビットが、サブフレームオフセットをシグナリングするのに使用される。
【０１１４】
【表３】
2018166346.tif 000006
【０１１５】
ｘccs,5＝０によって示される動作モードでは、異なるＲＶを、それでも、副サービングセルの支援送信で使用することができ、これを、副サービングセルからのＨＳ−ＳＣＣＨ上で冗長性およびコンステレーションバージョンフィールドキャリア（ｃｏｎｓｔｅｌｌａｔｉｏｎ  ｖｅｒｓｉｏｎ  ｆｉｅｌｄ  ｃａｒｒｉｅｒ）内でシグナリングすることができる。
【０１１６】
支援送信のために特定のサブフレーム上で使用される動作モードの判断は、ネットワークに委ねることができる。切替をトリガする判断基準を、ＷＴＲＵによって報告されたＣＱＩの範囲に基づいて、ＷＴＲＵによって報告された経路損（ｐａｔｈ  ｌｏｓｓ）に基づいて、ＷＴＲＵによって報告されたハンドオーバ状況もしくは測定値に基づいて、もしくは主サービングセルと副サービングセルとの両方のスケジューリング負荷に基づいて、の単独でまたは任意の組合せで、適用することができる。
【０１１７】
副送信の存在についてＷＴＲＵに知らせる方法を、下で説明する。ネットワークリソースの使用を最大にするために、ネットワークは、必要と判断される（たとえば、ＷＴＲＵからのＣＱＩフィードバックに基づいて）ときに限ってソフトコンバイニング動作を使用することができる。次の方法を、個別にまたは任意の組合せで使用することができる。さらに、これらの方法を、ソフトコンバイニングを必要としない方式についてさえも、単一周波数動作でデュアルセルをアクティブ化または非アクティブ化するのに使用することもできる。
【０１１８】
高速アクティブ化／非アクティブ化機構を使用することができ、この機構では、ＷＴＲＵは、副送信の存在について半静的に知らされる。これを、たとえば、ＨＳ−ＳＣＣＨ命令によって提供されるアクティブ化／非アクティブ化機構を介して達成することができる。これらの送信は、同一のデータを搬送してもよいし、搬送しなくてもよい。
【０１１９】
第１の方法では、ＷＴＲＵは、副送信を受信するように構成され、すなわち、副セルがイネーブルされると言われる。この構成を、Ｌ３構成メッセージを使用して、たとえばＲＲＣシグナリングを介して実行することができる。Ｎｏｄｅ  Ｂは、既存のまたは新しいＨＳ−ＳＣＣＨ命令を使用して副セルを非アクティブ化および再アクティブ化することができる。
【０１２０】
サービングＨＳ−ＤＳＣＨセル以外の他のＮｏｄｅ  Ｂからの副サービングＨＳ−ＤＳＣＨセルのアクティブ化および非アクティブ化をサポートするために、ＨＳ−ＳＣＣＨ命令を介するアクティブ化／非アクティブ化の追加のルールが要求される場合がある。各Ｎｏｄｅ  Ｂスケジューラでのより高い柔軟性を可能にするために、各Ｎｏｄｅ  Ｂは、それが制御する副セルのアクティブ化／非アクティブ化状況を判断することができる。そのような制御を可能にするために、ＷＴＲＵは、そのセルから非アクティブ化命令を受信するときに限って副サービングＨＳ−ＤＳＣＨセルを非アクティブ化することができ、または、ＷＴＲＵは、そのセルからアクティブ化命令を受信するときに限って副サービングＨＳ−ＤＳＣＨセルをアクティブ化することができる。
【０１２１】
あるいは、集中制御が、ネットワーク実装形態について望まれる場合がある。その場合に、ＷＴＲＵは、主セルからの非アクティブ化命令を受信するときに限って副サービングＨＳ−ＤＳＣＨセルを非アクティブ化することができ、または、ＷＴＲＵは、主セルからアクティブ化命令を受信するときに限って副サービングＨＳ−ＤＳＣＨセルをアクティブ化することができる。
【０１２２】
あるいは、アクティブ化または非アクティブ化の命令を、ＷＴＲＵがＨＳ−ＳＣＣＨ符号セットを継続的に監視するＨＳ−ＤＳＣＨセルのいずれかから受信することができる。
【０１２３】
あるいは、同一周波数上の副ＨＳ−ＤＳＣＨセルのアクティブ化命令を、Ｎｏｄｅ  Ｂによってのみ送信することができ、または、その同一の周波数上のＨＳ−ＤＳＣＨセルからＷＴＲＵによって受信することができる。
【０１２４】
複数周波数およびマルチポイントのダウンリンク動作のコンテキストでは、ＷＴＲＵを、たとえば、隣接する周波数上のまたは異なる帯域上のもしくは周波数上の、２つのセルを用いて構成することができる。これらのセルのそれぞれは、その周波数上で関連する副（マルチポイント）セルを有することができる。主周波数および副周波数は、定義され、周波数ごとに１つのサービングＨＳ−ＤＳＣＨセルがある。
【０１２５】
「主周波数サービングＨＳ−ＤＳＣＨセル」（「主セル」とも称する）は、主周波数上の主セルである。「副周波数サービングＨＳ−ＤＳＣＨセル」（「副周波数主セル」とも称する）は、副周波数上の主セルであり、主周波数サービングＨＳーＤＳＣＨセルと同一のＮｏｄｅ  Ｂまたはセクタに対応することができる。「主周波数副サービングＨＳ−ＤＳＣＨセル」（「主周波数副セル」とも称する）は、主周波数に関連する副セルである。「副周波数副サービングＨＳ−ＤＳＣＨセル」（「副周波数副サービングセル」とも称する）は、副周波数に関連する副セルである。
【０１２６】
マルチポイント送信が、異なる周波数を介して可能である場合に、副サービングセルが、副周波数（たとえば、非主周波数）でのマルチポイントセルに対応することができることを理解されたい。そのような構成では、アクティブ化機構および非アクティブ化機構に対する追加の制限を実施することができる。たとえば、副周波数サービングＨＳ−ＤＳＣＨセルが非アクティブ化されるときに、副周波数副サービングＨＳ−ＤＳＣＨセルも非アクティブ化される。
【０１２７】
デュアルセルデュアルキャリアおよびデュアルセル単一周波数構成がアクティブ化されるときに、ＷＴＲＵおよびネットワークは、４Ｃ−ＨＳＤＰＡに使用された既存のＨＳ−ＳＣＣＨ命令を使用して、副ＨＳ−ＤＳＣＨセルのアクティブ化または非アクティブ化を制御することができる。これを、セルをアクティブ化または非アクティブ化するマッピングまたは命令を提供することによって達成することができる。セルをアクティブ化または非アクティブ化する命令は、事前定義のルールまたは構成命令に従うことができる。たとえば、番号付けは、主周波数副ＨＳ−ＤＳＣＨセルから開始することができる。この例では、番号付けは、以下の通りである。第１の副ＨＳ−ＤＳＣＨセルは主周波数上の副セル（またはマルチポイントセル）であり、第２の副ＨＳ−ＤＳＣＨセルは副周波数サービングＨＳ−ＤＳＣＨセル（構成される場合）であり、第３の副ＨＳ−ＤＳＣＨセルは副周波数副サービングＨＳ−ＤＳＣＨセル（構成される場合）である。
【０１２８】
別の例では、番号付けは、第１の副ＨＳ−ＤＳＣＨセルは副周波数サービングＨＳ−ＤＳＣＨセル（構成される場合）であり、第２の副ＨＳ−ＤＳＣＨセルは主周波数副サービングＨＳ−ＤＳＣＨセル（構成される場合）であり、第３副ＨＳ−ＤＳＣＨセルは副周波数副サービングＨＳ−ＤＳＣＨセル（構成される場合）であるように、副周波数サービングＨＳ−ＤＳＣＨセルから始まることができる。これらの例の両方で、セルの一方が構成されない場合に、番号付けは、存在する構成の順序に従って変化する可能性があることを理解されたい。
【０１２９】
副セルが、主セルとは異なるＮｏｄｅ  Ｂ内に配置されるときに、Ｉｕｂ／Ｉｕｒインターフェースオーバヘッドに起因する追加の遅延が、アクティブ化および非アクティブ化について必要になる場合がある。その場合に、異なるアクティブ化／非アクティブ化遅延を規定することができる。オプションで、ＷＴＲＵは、上位層（たとえば、ＲＲＣシグナリング）を介してネットワークからアクティブ化／非アクティブ化遅延を受信することができ、アクティブ化および非アクティブ化に関する遅延が、異なる場合がある。セルが、同一のＮｏｄｅ  Ｂ内に配置されない構成で、またはＮｏｄｅ  Ｂのセクタの間の通信がない構成で、セルをアクティブ化または非アクティブ化すべきであるとの判断が行われるときに、その判断を行うセルは、他のＮｏｄｅ  Ｂ、他のセル、またはＲＮＣに通知することができる。
【０１３０】
副ＨＳ−ＤＳＣＨセルをアクティブ化または非アクティブ化する判断を、主ＨＳ−ＤＳＣＨサービングセルまたは副ＨＳ−ＤＳＣＨサービングセルによって行うことができる。判断を１つのＮｏｄｅ  Ｂによって行うことができるが、アクティブ化または非アクティブ化する命令を、他のＮｏｄｅ  Ｂによって与えることができる。さらに、アクティブ化または非アクティブ化する判断が行われた後に、ＲＮＣに、データをＮｏｄｅ  Ｂに正しく向けるように知らせることもできる。
【０１３１】
主Ｎｏｄｅ  Ｂが、副Ｎｏｄｅ  Ｂ内のセルをアクティブ化または非アクティブ化する判断を行う場合に、主ＨＳ−ＤＳＣＨセルは、アクティブ化／非アクティブ化命令をＷＴＲＵに送信して、対応する副ＨＳ−ＤＳＣＨサービングセルをアクティブ化または非アクティブ化する。次に、Ｎｏｄｅ  Ｂは、他のＮｏｄｅ  Ｂおよび／またはＲＮＣに、アクティブ化または非アクティブ化されたＨＳ−ＤＳＣＨサービングセルのＩｕｂ／Ｉｕｒシグナリングを介して知らせる（サービングおよび／または制御する）。あるいは、Ｎｏｄｅ  Ｂは、命令に対する肯定応答（ＡＣＫ）が受信されるときに、アクティブ化／非アクティブ化について副ＨＳ−ＤＳＣＨサービングセルおよび／またはＲＮＣに知らせるのみである。
【０１３２】
あるいは、主ＨＳ−ＤＳＣＨセルは、まず、副ＨＳ−ＤＳＣＨセルをアクティブ化または非アクティブ化する判断についてＩｕｂ／Ｉｕｒシグナリングを使用して他のＮｏｄｅ  Ｂおよび／またはＲＮＣに通知する。Ｎｏｄｅ  ＢとＷＴＲＵとの間の正しい同期化を保証するために、サービングＮｏｄｅ  Ｂは、オプションで、副ＨＳ−ＤＳＣＨセルがアクティブ化または非アクティブ化されることをサービング主セルが期待しまたは求める時刻のタイムスタンプまたはアクティブ化時刻を示すことができる。アクティブ化時刻に、主ＨＳ−ＤＳＣＨセルまたは副ＨＳ−ＤＳＣＨセル（どちらのセルが命令を送信できるのかに依存する）は、アクティブ化／非アクティブ化命令をＷＴＲＵに送信する。
【０１３３】
あるいは、主ＨＳ−ＤＳＣＨセルは、他のＮｏｄｅ  Ｂおよび／またはＲＮＣに判断について通知する。対応するＨＳ−ＤＳＣＨセルをアクティブ化または非アクティブ化する実際の命令またはシグナリングは、他のＮｏｄｅ  Ｂがその判断を承認する場合に限って送信される。承認を、Ｉｕｂ／Ｉｕｒシグナリングを介して主セルおよび／またはＲＮＣに送信することができる。承認は、はいまたはいいえを示す単一ビットの形とすることができ、あるいは、承認は、副ＨＳ−ＤＳＣＨセルのアクティブ化（または非アクティブ化）を可能にする時刻を示すアクティブ化時刻を主セルおよび／またはＲＮＣに提供することができる。承認される場合に、所与のアクティブ化時刻に、主搬送波および／または副搬送波は、セルをアクティブ化または非アクティブ化するようにＷＴＲＵにシグナリングすることができる。アクティブ化時刻は、これらのメッセージの送信後の事前定義の時刻、主搬送波によって当初にシグナリングされたアクティブ化時刻、または副搬送波によって主搬送波にシグナリングされたアクティブ化時刻に対応することができる。
【０１３４】
同様に、副セルが、それ自体をアクティブ化または非アクティブ化する判断を行う場合には、副セルは、ＷＴＲＵに命令を送信し、その後、主Ｎｏｄｅ  Ｂおよび／またはＲＮＣに通知するか、ＡＣＫが受信されるときに主Ｎｏｄｅ  Ｂおよび／またはＲＮＣに通知することだけができる。あるいは、副セルは、主セルならびに適用可能な場合に他の副セル（１つまたは複数）および／またはＲＮＣに通知し、判断を行う主ＨＳ−ＤＳＣＨセルに関して説明したアクションに類似するアクションを使用して進むことができる。
【０１３５】
判断が、副ＨＳ−ＤＳＣＨをアクティブ化することであり、ＷＴＲＵが、副セルからＨＳ−ＤＳＣＨデータを受信しつつあるのではない場合には、副Ｎｏｄｅ  Ｂは、主Ｎｏｄｅ  Ｂに、アクティブ化命令を送信するように通知しなければならない。副セルは、ＲＮＣに通知することもでき、ＲＮＣは、オプションで、主Ｎｏｄｅ  Ｂに通知することができる。同様に、副セルは、アクティブ化時刻を主Ｎｏｄｅ  Ｂおよび／またはＲＮＣに送信することができる。所与のアクティブ化時刻に、副セルは、セルが主セルによってアクティブ化されたと仮定し、アクティブ化時刻にダウンリンク（ＤＬ）で送信を開始するか、ある遅延を許容して、セルが正しくアクティブ化されたことを保証することができる。さらに、ＲＮＣは、主Ｎｏｄｅ  Ｂが、所与のアクティブ化時刻または指示の時刻に副セルを正常にアクティブ化したと仮定し、副Ｎｏｄｅ  Ｂにデータを送信し始めることもできる。あるいは、ＲＮＣは、副セルへのデータの送信を遅延させて、正しいアクティブ化時刻を可能にすることができる。
【０１３６】
あるいは、副セルは、副ＨＳ−ＤＳＣＨセルに対応するＣＱＩ報告がＷＴＲＵによって送信されたことを検出するときに、ＤＬでの送信を開始することだけができる。あるいは、副セルは、アクティブ化が正常に行われたことの主Ｎｏｄｅ  Ｂによる肯定応答を待つことができる。これは、命令が判断を行ったＮｏｄｅ  Ｂから送信されない場合にも適用可能である。あるいは、副セルは、副セルが正常にアクティブ化されたと判定する時に、ＲＮＣに通知する。この通知を、データ要求または明示的指示の形とすることができる。副セルの非アクティブ化について、類似する手順に従うことができる。
【０１３７】
副セルの高速非アクティブ化の通知時に、ＲＮＣは、ＷＴＲＵへのデータの送信を停止することができる。オプションで、上で説明した方法について、副Ｎｏｄｅ  Ｂは、副セルの非アクティブ化の前に、そのバッファを空にすることを試みることができる。ＲＮＣは、この間にこの副セルへの新しいデータの送信を停止することができる。
【０１３８】
あるいは、ＲＮＣは、判断を行い、その判断について対応するＮｏｄｅ  Ｂに通知し、および／またはアクティブ化もしくは非アクティブ化を実行しなければならないことをＮｏｄｅ  Ｂに示す。
【０１３９】
Ｎｏｄｅ  ＢからＮｏｄｅ  Ｂへの通知を、直接にまたはＲＮＣを介して行うことができ、ＲＮＣが、まず通知を受信し、次いでこれを他のＮｏｄｅ  Ｂに中継することを理解されたい。
【０１４０】
他のＮｏｄｅ  Ｂへの通知は、制御するＮｏｄｅ  Ｂが命令を送信できない場合があるので、またはＮｏｄｅ  Ｂがスケジューリングについて知ることとＨＳ−ＤＰＣＣＨの正しい検出を保証することとを必要とするので、必要になる可能性がある。同一周波数内の副サービングＨＳ−ＤＳＣＨセルがアクティブ化または非アクティブ化されるときに、ＨＳ−ＤＰＣＣＨフォーマットまたは符号化が、変化する場合がある。これが発生する場合には、ＨＳ−ＤＰＣＣＨを正しく復号できるように、サービングＮｏｄｅ  Ｂおよび／または他のＮｏｄｅ  Ｂは、変化について通知を受ける必要があり得る。
【０１４１】
あるいは、非アクティブ化に関する事前定義のルールが、Ｎｏｄｅ  Ｂの間に存在する。一実装形態では、ルールは、報告されたＣＱＩ値に依存することができる。ＣＱＩ値を、両方のＮｏｄｅ  Ｂによって受信および復号することができる。副Ｎｏｄｅ  ＢのＣＱＩ値または平均ＣＱＩが、事前定義の時間の期間にわたってしきい値より小さいときには、副Ｎｏｄｅ  Ｂは、非アクティブ化される。やはり報告されたＣＱＩ値を知っている主Ｎｏｄｅ  Ｂは、判断基準が満たされたと判定し、副Ｎｏｄｅ  Ｂが非アクティブ化されたと推定する。ＨＳ−ＳＣＣＨ命令が、主ＨＳ−ＳＣＣＨを介してのみ送信される場合には、主Ｎｏｄｅ  Ｂは、非アクティブ化命令をＷＴＲＵに送信する。
【０１４２】
さらに、アクティブ化が行われるときに、Ｎｏｄｅ  Ｂは、アクティブ化についてＩｕｒシグナリングを介してＲＮＣに通知することもでき、したがって、ＲＬＣ（Ｒａｄｉｏ  Ｌｉｎｋ  Ｃｏｎｔｒｏｌ）パケットの正しい送信を、両方のＨＳ−ＤＳＣＨセルを介して行うことができる。同様に、非アクティブ化が行われるときに、Ｎｏｄｅ  Ｂは、非アクティブ化についてＩｕｒシグナリングを介してＲＮＣに通知し、その結果、ＲＬＣパケットの送信に、非アクティブ化されたＨＳ−ＤＳＣＨセルを介して割り込めるようになる。
【０１４３】
ＷＴＲＵに、ＴＴＩごとに（動的に）、副サービングセルからのデータ（支援送信とも称する）を受信しなければならないのか否かを知らせることができる。第１の方法では、ＷＴＲＵは、サービングＨＳ−ＤＳＣＨセルからのＨＳ−ＳＣＣＨ（潜在的に、１つより多いチャネライゼーション符号）を監視する。ＨＳ−ＳＣＣＨは、ＷＴＲＵが異なるセルからのＨＳ−ＰＤＳＣＨを組み合わせるかまたは復号するための特殊な指示を搬送する。この手法は、ソフトコンバイニング動作とソースマルチプレクシング（マルチフロー）動作との両方に適用することができる。関連付けられたＨＳ−ＰＤＳＣＨが受信される前にこの指示が復号されるように、この指示を、ＨＳ−ＳＣＣＨの第１の部分で搬送することができる。
【０１４４】
この方法の第１の実装形態では、専用の情報ビットが、ＨＳ−ＳＣＣＨに追加される。この概念を図８に示し、図８では、追加ビット（Ｘsci）が、チャネルの第１の部分内で搬送される。この追加されたビットは、レートマッチングブロックでの変更を必要とし、この変更は、従来のＨＳ−ＳＣＣＨタイプ１のレートマッチングブロックより３つ多いビットのパンクチャリング（ｐｕｎｃｔｕｒｉｎｇ）を必要とする可能性がある。
【０１４５】
既存のＨＳ−ＳＣＣＨ符号化方式に情報ビットを追加する代替の手法では、既存のフィールドのうちの１つを再解釈して、支援送信情報を搬送することができる。一例として、Ｘccsフィールドを制限して、Ｘsciを搬送するために１つの情報ビットを解放することができる。
【０１４６】
この方法の第２の実装形態では、支援送信または副セル上の送信の存在が、構成されたＨＳ−ＳＣＣＨチャネライゼーション符号のセットからのチャネライゼーション符号の特定の選択を介してＮｏｄｅ  ＢによってＷＴＲＵに示される。この手法を実施する１つの形は、ＨＳ−ＳＣＣＨ番号すなわち、ＲＲＣ構成メッセージ内のＨＳ−ＳＣＣＨの構成番号（ＲＲＣ構成メッセージ内のＨＳ−ＳＣＣＨの順序）を使用することである。
【０１４７】
ＨＳ−ＳＣＣＨ番号情報は、６４ＱＡＭが構成されるときに既に使用されている。より具体的には、情報が、ＨＳ−ＳＣＣＨ  ｍｏｄ  ２（偶数／奇数特性）上で搬送される。このＨＳ−ＳＣＣＨ番号は、ＷＴＲＵが６４ＱＡＭ動作のために構成されるときに、この２つの特徴が同時に働けることを保証するのにも使用され得るので、Ｘsciと偶数／奇数ＨＳ−ＳＣＣＨ番号とのすべての組合せが可能である。この概念を、表４に示されているように達成することができる。
【０１４８】
【表４】
2018166346.tif 000007
【０１４９】
表４に示されているように、ＨＳ−ＳＣＣＨ番号に関するＸsciのこの特定のマッピングは、ＨＳ−ＳＣＣＨ番号  ｍｏｄ  ２を用いる任意の組合せが可能であることを保証する。この特定の実装形態を、より多数のＨＳ−ＳＣＣＨ構成された符号に拡張することもできる。
【０１５０】
第２の方法では、ＷＴＲＵは、アクティブ化されたセルあたり１セットのＨＳ−ＳＣＣＨを監視するように構成される。ＷＴＲＵが、副セルからのＨＳ−ＳＣＣＨを検出するときに、ＷＴＲＵは、関連するＨＳ−ＰＤＳＣＨを復号する。ソフトコンバイニングが構成されるときには、ＷＴＲＵを、同一のＴＴＩに関する異なるセルからのＨＳ−ＳＣＣＨが異なるトランスポートブロックサイズまたは相反する情報を示すときに、ソフトコンバイニングを適用しないように構成することができる。
【０１５１】
この方法のもう１つの実装形態では、ネットワークは、副ＨＳ−ＤＳＣＨセルを介してＨＳ−ＳＣＣＨを送信することによって支援送信の存在を示し、そうでない場合には、主セル上のＨＳ−ＳＣＣＨが使用される。より具体的には、ＷＴＲＵは、アクティブ化されたＨＳ−ＤＳＣＨセルごとに構成されたＨＳ−ＳＣＣＨセットを監視する。ＷＴＲＵが、副ＨＳ−ＤＳＣＨセルからＷＴＲＵにアドレッシングされたＨＳ−ＳＣＣＨを検出する場合に、ＷＴＲＵは、支援送信が行われつつあると判定し、両方のＨＳ−ＤＳＣＨセル上で対応するＨＳ−ＰＤＳＣＨを受信し始める。ＷＴＲＵが、主ＨＳ−ＤＳＣＨセルからＷＴＲＵにアドレッシングされたＨＳ−ＳＣＣＨを検出する場合に、ＷＴＲＵは、データ送信が主ＨＳ−ＤＳＣＨ上でのみ行われつつあると判定する。
【０１５２】
この方法の第３の実装形態では、ネットワークは、副サービングセルからの支援送信が行われる場合に、主ＨＳ−ＤＳＣＨセルと副ＨＳ−ＤＳＣＨセルとの両方を介して同時にＨＳ−ＳＣＣＨを送信することによって、支援送信の存在を示す。ＨＳ−ＰＤＳＣＨデータは、同一のスクランブリング符号（主として主サービングセルによって使用されるスクランブリング符号）を使用して送信されるが、ＨＳ−ＳＣＣＨは、元々はＲＲＣによって構成された各セルに関連する異なるスクランブリング符号を用いて送信され、その結果、これらを、ＷＴＲＵで正しく復調できるようになる。両方のＨＳ−ＳＣＣＨが、同一のＨ−ＲＮＴＩを適用することによって同一のＷＴＲＵにアドレッシングされる。ＷＴＲＵが、副ＨＳ−ＤＳＣＨセルからＷＴＲＵにアドレッシングされたＨＳ−ＳＣＣＨを検出する場合に、ＷＴＲＵは、支援送信が行われつつあると判定し、したがって、両方のＨＳ−ＤＳＣＨセル上で対応するＨＳ−ＰＤＳＣＨを受信し始める。副サービングセルからのＨＳ−ＳＣＣＨ内の他の情報フィールドは、主サービングセルとは異なるものとすることができ、これを使用して、上で説明したように送信モードを示すことができる。
【０１５３】
第３の方法では、ＷＴＲＵは、支援情報（Ｘsci）を搬送する新しい制御チャネルを監視する。この新しい制御チャネル（副セル指示チャネル、ＳＣＩＣＨ）を、既存のＦ−ＤＰＣＨ（Ｆｒａｃｔｉｏｎａｌ  Ｄｅｄｉｃａｔｅｄ  Ｐｈｙｓｉｃａｌ  Ｃｈａｎｎｅｌ）に類似する構造を使用して構築して、符号空間使用量を最小にすると同時に、既存の機能性を再利用することができる。適当なタイミングを保証するために、このＳＣＩＣＨを、たとえば図９に示されているようにＨＳ−ＳＣＣＨの関連する第１の部分と同一のスロット内で送信することができる。
【０１５４】
別の代替案では、ＳＣＩＣＨは、３つの連続するスロットを介して情報を搬送し、３つのスロットのうちの最後のスロットが関連するＨＳ−ＳＣＣＨの第１の部分中に送信されるように、情報を送信する。この概念は、図１０に示されており、ＷＴＲＵが適当な判断を行う前に３つのスロットから受信されたエネルギーを組み合わせることができるので、送信電力節約を可能にする。遅延は、ＨＳ−ＰＤＳＣＨの適当な復号をも可能にする。あるいは、この場合、ＳＣＩＣＨを、Ｅ−ＨＩＣＨ（Ｅ−ＤＣＨ  ＨＡＲＱ  ａｃｋｎｏｗｌｅｄｇｅｍｅｎｔ  Ｉｎｄｉｃａｔｏｒ  Ｃｈａｎｎｅｌ）およびＥ−ＲＧＣＨ（Ｅ−ＤＣＨ  Ｒｅｌａｔｉｖｅ  Ｇｒａｎｔ  Ｃｈａｎｎｅｌ）に類似する符号化を使用して搬送することもできる。
【０１５５】
代替の解決策では、支援送信または副セル上の送信の存在が、特定のＨ−ＲＮＴＩを介してＮｏｄｅ  ＢによってＷＴＲＵに示される。より具体的には、ＷＴＲＵを、２つのＨ−ＲＮＴＩすなわち主Ｈ−ＲＮＴＩおよび副Ｈ−ＲＮＴＩを用いて構成することができる。ＷＴＲＵは、主ＨＳ−ＤＳＣＨセルを介して２つのＨ−ＲＮＴＩのうちの１つについて、構成されたＨＳ−ＳＣＣＨセットを監視することができる。ＷＴＲＵは、主セルのみを介する送信がスケジューリングされるときに主Ｈ−ＲＮＴＩを用いてアドレッシングされ、副Ｈ−ＲＮＴＩは、主セルおよび副セルを介する送信をスケジューリングするのに使用される。ＷＴＲＵが、副Ｈ−ＲＮＴＩを有するＨＳ−ＳＣＣＨを検出するときに、ＷＴＲＵは、支援送信または副セル上の送信が行われつつあると判定する。
【０１５６】
別の解決策では、ネットワークは、第１の送信または第２の送信がＷＴＲＵによって正常に受信されなかったと判定するとき、またはたとえば主セルについてＷＴＲＵによって認識されるチャネル条件が満たされていないとき、支援送信を使用するだけである。
【０１５７】
Ｎｏｄｅ  Ｂは、複数の判断基準を使用して、支援送信を送信すべきかどうかを判定することができる。ＷＴＲＵは、新規データインジケータ、送信のＲＶ、変調フォーマットおよびＴＢサイズ、またはＨＡＲＱプロセス番号という判断基準のうちの１つまたは組合せに従って、スケジューリングされた送信が１つまたは複数のセルを介して実行されつつあるかどうかを判定することができる。
【０１５８】
新規データインジケータに従って、現在の送信が再送信に対応する場合には、ＷＴＲＵは、両方のセルを介する受信を開始する。
【０１５９】
送信のＲＶを使用するときに、ＷＴＲＵが、送信がｓ、ｒ、ｂビットの特殊な組合せを使用して実行され、たとえばＸrv値が所定の値に対応することを検出する場合に、ＷＴＲＵは、送信が支援送信であることを知る。あるいは、この判断基準が、特定の「ｓ」値に依存することもできる。たとえば、ｓ＝１である場合に、Ｎｏｄｅ  Ｂは、支援送信を実行し、そうではない場合に、Ｎｏｄｅ  Ｂは、主ＨＳ−ＤＳＣＨセルを介してのみ送信する。あるいは、この判断基準が、ｒビットの値またはｓビットとｒビットとの組合せに依存することができる。
【０１６０】
変調およびＴＢサイズを使用するときに、Ｎｏｄｅ  Ｂは、ＴＢサイズおよび変調フォーマットのサブセットに関して支援送信を実行するのみである。ＷＴＲＵが、ＴＢサイズおよび／または変調フォーマットがこれらの事前に構成されたサブセットのうちの１つに対応すると判定する場合に、ＷＴＲＵは、データの支援受信を実行する。
【０１６１】
ＨＡＲＱプロセス番号を使用するときに、ＷＴＲＵおよびＮｏｄｅ  Ｂは、あるＨＡＲＱプロセスが使用されるときに限って支援送信を使用するように事前に構成される。たとえば、ＷＴＲＵが、ＨＳ−ＳＣＣＨ内で示されるＨＡＲＱプロセスＩＤが１つのそのような事前に構成されたＨＡＲＱプロセスに対応すると判定する場合に、ＷＴＲＵは、両方のＨＳ−ＤＳＣＨセルを介する支援受信を実行する。
【０１６２】
支援送信を実行する判断を、両方のセル上でＷＴＲＵによって報告されるＣＱＩに依存するものとすることができる。たとえば、サービングセル上のＣＱＩ値が、構成された期間のしきい値より小さく、副サービングセル上のＣＱＩ値が、しきい値より大きい場合には、Ｎｏｄｅ  Ｂは、支援送信を実行することができる。この判断基準が満たされるときに、Ｎｏｄｅ  Ｂは、支援送信を開始し、この判断基準が満たされるとＮｏｄｅ  Ｂが判定するときに、支援送信が進行中であるかのように自律的に受信を開始する。
【０１６３】
ＷＴＲＵでのソフトコンバイニングを改善する方法を、下で説明する。ソフトコンバイニング動作では、複数のＮｏｄｅ  Ｂが、同一のデータをＷＴＲＵに同時に送信する（ある合理的な遅延要件を伴って）。１つのオプションでは、データは、同一の物理フォーマットを使用して、たとえば、同一の拡散、スクランブリング、物理マッピング、および符号化を使用して、Ｎｏｄｅ  Ｂによって送信され、ＷＴＲＵが、チップレベルまたは記号レベルで信号を組み合わせられるようになっている。別のオプションでは、データは、異なる物理フォーマット（異なる拡散符号、スクランブリング、および物理チャネルマッピング）を使用してＮｏｄｅ  Ｂによって送信されるが、同一の符号化されたビットが送信され、ＷＴＲＵが、符号化されたビットのレベル（記号レベル）でデータを組み合わせられるようになっている。両方のＮｏｄｅ  Ｂからのデータを正しく復調するために、ＷＴＲＵは、チャネル推定を実行するために各Ｎｏｄｅ  Ｂからの別個のパイロット信号を必要とし、この概念を、図１１に示す。
【０１６４】
ＷＴＲＵが最適な組合せを実行するために、チップレベルまたは記号レベルで、データがそれを介して各Ｎｏｄｅ  Ｂから送信されるチャネルの知識を有することが要求される。より具体的には、ＷＴＲＵは、それが両方のＮｏｄｅ  Ｂから見る有効なチャネルの知識を必要とする。有効チャネルは、ＷＴＲＵによって認識される２つのデータチャネルの組合せと解釈することができる。データチャネルを、各Ｎｏｄｅ  Ｂからパイロットチャネルに関して異なる相対電力を用いて送信することができるので、データ信号の有効チャネルは、パイロット信号について認識される有効チャネルとは異なる。既存の機構を用いて、ＷＴＲＵは、パイロット信号から有効チャネルを測定することだけができる。
【０１６５】
ＷＴＲＵでのソフトコンバイニングの性能を、電力オフセット情報をシグナリングすることによって改善することができる。この手法では、ＷＴＲＵは、そのＷＴＲＵのサービングＨＳ−ＤＳＣＨセルセット内のＨＳ−ＤＳＣＨセルのうちの１つまたは複数からのデータ信号とパイロット信号との間の相対電力について知らされる。ＷＴＲＵは、その受信機内で電力オフセット情報を使用して、よりよいチャネル推定および改善された組合せ（たとえば、最大比合成）を介して性能を改善することができる。
【０１６６】
ネットワークは、動的な基礎、半静的な基礎、または静的な基礎で、副サービングＨＳ−ＤＳＣＨセル（１つまたは複数）のデータ対パイロット電力オフセット（または同等に、パイロット対データ電力オフセット）についてＷＴＲＵに知らせることができる。１つのオプションで、サービングＨＳ−ＤＳＣＨセルセット内の各セルは、使用されるデータ対パイロット電力オフセットでＷＴＲＵにシグナリングする。
【０１６７】
動的なデータ対パイロット電力オフセットシグナリングでは、ネットワークは、ＴＴＩごとにデータ復調での使用のためにデータ対パイロット電力オフセットをシグナリングする。データ対パイロット電力オフセットを、データ復調のためにＨＳ−ＳＣＣＨ上で搬送される従来の情報と一緒に、ＨＳ−ＳＣＣＨ上で搬送することができる。
【０１６８】
ＨＳ−ＳＣＣＨを使用する動的なデータ対パイロット電力オフセットシグナリングに対する第１の手法では、データ対パイロット電力オフセット情報は、ＨＳ−ＳＣＣＨの第１の部分内で搬送され、その結果、この情報を、ＨＳ−ＰＤＳＣＨ復調に使用できるようになる。１つのオプションで、ＨＳ−ＳＣＣＨの新しい符号化方式が、新しい情報を搬送するために設計される。この符号化方式は、チャネライゼーション符号セットビット（Ｘccs）および変調方式ビット（Ｘms）に加えて、データ対パイロット情報を搬送するビットの新しいセット（Ｘd2p）を組み込み、これは、図１２に示された概念である。
【０１６９】
一実装形態では、同一の個数のビットが、Ｘ1内で搬送され、その結果、従来の符号化方式に対する変更は、不要になる。これは、マルチポイントＨＳＤＰＡ内で構成されるＷＴＲＵの許容可能なチャネライゼーション符号セットおよび変調方式セットを減らすことによって達成することができる。その削減から解放されるビットを、ｄ２ｐフィールドに使用することができ、従来のチャネル符号化１およびレートマッチング１を再利用することができる。
【０１７０】
別の実装形態では、同一の個数のチャネライゼーション符号セットおよび変調方式ビットが使用され、Ｘ1は、追加のＸd2pビットをも搬送する。これを達成するために、レートマッチングを、より少ないビットをパンクチャリングするように変更することができ、これは、より高い符号レートにつながり、潜在的に同一の信頼性のためにより多くの電力を要求する。たとえば、Ｘd2pが、３ビットの情報を搬送する場合に、新しいＺ1は５７ビットを有し、新しいＲ1は４０ビットを有する可能性があるので、従来のＨＳ−ＳＣＣＨタイプ１の８ビットとは異なって、合計１７ビットをパンクチャリングすることができる。パンクチャリングすべき追加の９ビットの選択は、たとえばオフラインシミュレーションに基づくものとすることができる。
【０１７１】
動的な手法は、潜在的に、追加のダウンリンクオーバーヘッドを犠牲にして最良の性能につながる。Ｎｏｄｅ  Ｂ間動作について、この手法は、サービングＨＳ−ＤＳＣＨセルセット内のＮｏｄｅ  Ｂの間の高速バックホールリンクをも必要とし、サービングＮｏｄｅ  Ｂセルによって送信されるときに、電力オフセットが関連するようになっている。
【０１７２】
あるいは、ＨＳ−ＳＣＣＨは、副サービングＨＳ−ＤＳＣＨセルからも送信される。Ｎｏｄｅ  Ｂ内動作について、バックホールリンク要件はなく、情報を、サービングＨＳ−ＤＳＣＨセルのみに関連付けられたＨＳ−ＳＣＣＨ内で搬送することができる。副サービングＨＳ−ＤＳＣＨセルを介して送信されるＨＳ−ＳＣＣＨを、上で説明した解決策に従って符号化することができる。
【０１７３】
代替の解決策では、副サービングＨＳ−ＤＳＣＨセルを介して送信されるＨＳ−ＳＣＣＨは、情報の減らされたセットを含むことができる。セルを介して送信されるＨＳ−ＤＰＳＣＨ情報が同一であると仮定して、ＷＴＲＵ識別情報などであるがこれに限定されない他の情報に加えてチャネライゼーション符号セット、変調方式、ＴＢサイズ、ＨＡＲＱ、ＲＶ、および新規データ指示などのＨＳ−ＳＣＣＨ情報は、主ＨＳ−ＤＳＣＨセルなどのセルのうちの１つを介して送信される。他のＨＳ−ＤＳＣＨセルは、データ対パイロット電力比と、オプションで、２つの送信を区別する任意の他の潜在的情報とを送信する。たとえば、次の情報を、副ＨＳ−ＤＳＣＨセルを介して新しいＨＳーＳＣＣＨによって送信することができる。
データ対パイロット電力オフセット（ｙビット）  ｘd2p,1、ｘd2p,2、…ｘd2p,y
ＷＴＲＵ識別情報（１６ビット）  ｘue,1、ｘue,2、…、ｘue,16
ただし、ｙは、要求される電力オフセットの範囲および粒度に依存することができる。
【０１７４】
半静的シグナリング手法では、ネットワークは、多くとも各ＨＳ−ＤＳＣＨ送信の瞬間（それに関して副サービングＨＳ−ＤＳＣＨセル上で送信されるデータがある）にデータ対パイロット電力オフセットをシグナリングする。これを、新しいＬ１シグナリング機構を使用して達成することができる。Ｌ１シグナリング機構の一例では、新しいＨＳ−ＳＣＣＨ命令が使用される。ネットワークは、データ対パイロット電力オフセット値の事前定義のテーブルへのインデックスの形でデータ対パイロット電力オフセット情報をシグナリングする。
【０１７５】
次の情報を、従来のＨＳ−ＳＣＣＨ命令物理チャネルによって送信することができる。
命令タイプ（３ビット）  ｘodt,1、ｘodt,2、ｘodt,3
命令（３ビット）  ｘord,1、ｘord,2、ｘord,3
ＷＴＲＵ識別情報（１６ビット）  ｘue,1、ｘue,2、…、ｘue,16
【０１７６】
一例では、新しい命令タイプは、電力オフセットＨＳ−ＳＣＣＨ命令について定義され、電力オフセットインデックスは、ＨＳ−ＳＣＣＨ命令ビットの３ビット内で搬送される。たとえば、命令タイプｘodt,1、ｘodt,2、ｘodt,3＝“１０１”のときに、ｘord,1、ｘord,2、ｘord,3のマッピングは、表５に示されたものとすることができ、データ対パイロット電力オフセットを示す。
【０１７７】
【表５】
2018166346.tif 000008
【０１７８】
パイロット対データ電力オフセットを示すＨＳ−ＳＣＣＨ命令を受信した時に、ＷＴＲＵは、シグナリングされたデータ対パイロットオフセットインデックス（Ｄ２ＰＩ）に対応する事前に構成されたパイロット対データ電力オフセット参照テーブル（たとえば、表６に示される）内でデータ対パイロット電力オフセットエントリを見つけることによって、パイロット対データ電力オフセットの実際の値を計算する。オプションで、ネットワークは、ＷＴＲＵが実際のパイロット対データ電力オフセットを入手するためにＤ２ＰＩに適用する追加オフセットインデックス（ＡＯＩ）をも構成する。その場合に、参照テーブルへの実際のインデックスは、Ｄ２ＰＩ＋ＡＯＩになる。
【０１７９】
【表６】
2018166346.tif 000009
【０１８０】
半静的なデータ対パイロット電力オフセットのシグナリングに対する別の代替案では、ネットワークは、Ｌ２メッセージを介してデータ対パイロット電力オフセット（すなわち、上で説明したオプションの追加オフセットインデックスを伴うテーブルへのインデックス）をシグナリングする。たとえば、データ対パイロット電力オフセットを、ＭＡＣ−ｅｈｓ（またはマルチポイントＨＳＤＰＡ機能性をサポートする新しいＭＡＣ層）のヘッダ内で搬送することができる。この新しいヘッダフィールドは、量子化されたパイロット対データ電力オフセットテーブルへのインデックスを搬送することができる。新しいＭＡＣ制御ＰＤＵを作成して、ＷＴＲＵに電力オフセットをシグナリングすることができる。ＭＡＣ  ＰＤＵが制御ＰＤＵに対応することをＷＴＲＵに示すために、論理チャネル識別子（ＬＣＨ−ＩＤ）の特殊な値を予約して、ペイロードが制御ＰＤＵに対応し、この場合についてマルチポイントＨＳＤＰＡ制御情報に対応することを示すことができる。オプションで、新しいフィールドが、ＬＣＨ−ＩＤに続き、ペイロードがどのタイプの制御ＰＤＵに対応するのかを示すことができる。これは、他の制御ＰＤＵを導入するのに有益である可能性がある。
【０１８１】
ＷＴＲＵは、次のＨＳ−ＰＤＳＣＨを受信するため（たとえば、Ｌ１シグナリングが使用されるとき）あるいは、データ対パイロット電力オフセット値の受信の後の事前に構成された時間遅延の後に、シグナリングされたパイロット対データ電力オフセットを適用する。ＷＴＲＵは、新しい値を受信するまで、物理チャネル再構成が受信されるまで、または副ＨＳ−ＤＳＣＨサービングセルが非アクティブ化されるまで、同一のパイロット対データ電力オフセット値を維持する。
【０１８２】
静的なデータ対パイロット電力オフセットのシグナリングの例では、ＷＴＲＵは、ネットワークによって、ＲＲＣシグナリングを介するデータ対パイロット電力オフセット値を用いて構成される。ネットワークは、量子化された値のテーブルへのインデックスをシグナリングすることができる。ＷＴＲＵは、適当な時に（すなわち、ソフトコンバイニングされる予定であることをＷＴＲＵが知っている副ＨＳ−ＤＳＣＨセルからデータを受信するときに必ず）ＨＳ−ＤＳＣＨ受信に関してデータ対パイロット電力オフセットを適用する。
【０１８３】
ＷＴＲＵは、新しい値が構成されるまで、ネットワークによってシグナリングされたデータ対パイロット電力オフセットを維持する。１つのオプションで、ＷＴＲＵは、ＲＲＣシグナリングを介してデータ対パイロット電力オフセットを受信し、このデータ対パイロット電力オフセットを、上で説明した手法のうちの１つを介して新しい値を受信するまで使用する。
【０１８４】
別のオプションでは、ネットワークは、サービングＨＳ−ＤＳＣＨセルセット内のセルごとに測定電力オフセットΓ（ｄＢ単位）をＷＴＲＵにシグナリングする。ＷＴＲＵは、この測定電力オフセットに基づいて、各セルからのデータチャネルの相対電力を判定する。測定電力オフセットが、パイロット電力に関するデータ送信の電力オフセットを表すと仮定する。次に、ＷＴＲＵは、各チャネル推定値に測定電力オフセットを適用して（たとえば、線形領域で）、正しい有効チャネル推定値を入手する。この概念を、次のようにさらに詳細に示すことができる。
【０１８５】
【数２】
2018166346.tif 000010
【０１８６】
ここで、Γlは、第ｌサービングＨＳ−ＤＳＣＨセルの測定電力オフセットであり（たとえば、ｌ＝１について、これはサービングＨＳ−ＤＳＣＨセルに対応し、ｌ＝２は、副サービングＨＳ−ＤＳＣＨセルに対応する）、
【０１８７】
【数３】
2018166346.tif 000011
【０１８８】
は、第ｌセルのチャネル推定値であり（パイロット信号のみに基づく）、
【０１８９】
【数４】
2018166346.tif 000012
【０１９０】
は、推定された結果の有効チャネルである。
【０１９１】
別の解決策では、ＷＴＲＵは、検出に関して、同一のデータ対パイロット電力オフセットが、サービングＨＳ−ＤＳＣＨセルセット内のすべてのセルについて使用されると仮定する。これは、ソフトコンバイニング手法についてＷＴＲＵでの潜在的に非最適な受信性能につながる可能性があるが、ネットワークは、それ自体で各セル上のデータ信号対パイロット信号の相対電力を判定することによって、ＷＴＲＵ性能を制御することができる。
【０１９２】
ネットワークは、それがＷＴＲＵから受信するＣＱＩ情報に基づいて、ＭＣＳ（Ｍｏｄｕｌａｔｉｏｎ  Ｃｏｄｉｎｇ  Ｓｅｔ）、データの量、および電力を判定する。最適の検出性能を保証するために、ネットワークは、ＷＴＲＵにデータを送信するすべてのセルについて同一のデータ対パイロット電力およびＭＣＳを使用することができる（その結果、ＷＴＲＵが、最適フィルタ重みまたはＲＡＫＥフィンガを導出するようになる）。これは、ネットワークからの追加のシグナリングを必要としないという利益を有する。単一のＨＳ−ＳＣＣＨを使用することができる（たとえば、サービングＨＳ−ＤＳＣＨセルからの）。これは、２つの形のＷＴＲＵ受信機実装形態、すなわち、チップレベル等化および記号レベル組合せ（たとえば、ＨＡＲＱレベルにおける）をも可能にする。
【０１９３】
あるいは、ネットワークは、すべてのセルについて同一のデータ対パイロット電力および符号化されたデータを使用することができるが、潜在的に、異なる変調および符号化方式（すなわち、異なるＲＶ）を使用することができる。この手法は、データ対パイロット電力オフセットの追加のシグナリングを必要としないという利益を有する。異なるＭＣＳが、ＷＴＲＵにシグナリングされる必要がある（１セルあたり１つのＨＳ−ＳＣＣＨを介して）。これは、ＷＴＲＵ実装形態の１つの形すなわち、記号レベル組合せ（たとえば、ＨＡＲＱレベルにおける）のみを許容する。
【０１９４】
ＤＲＸ（ｄｉｓｃｏｎｔｉｎｕｏｕｓ  ｄｏｗｎｌｉｎｋ  ｒｅｃｅｐｔｉｏｎ）は、ＷＴＲＵデータ接続性を維持しながらＷＴＲＵ電力節約を目指すＣＰＣ（Ｃｏｎｔｉｎｕｏｕｓ  Ｐａｃｋｅｔ  Ｃｏｎｎｅｃｔｉｖｉｔｙ）特徴である。ＤＲＸモードでは、ＷＴＲＵは、事前に構成されたＤＲＸ受信パターンに従ってダウンリンクデータを不連続に受信することを許容される。マルチキャリア（ＤＣ−ＨＳＤＰＡまたは４Ｃ−ＨＳＤＰＡ）実現では、ＤＲＸの実装形態は、単純である。なぜなら、同一の受信パターンを、送信に用いられるすべてのセルについて使用できるからである。これが実現可能であるのは、セルが、同一のＮｏｄｅ  Ｂに属すると仮定され、したがって、すべての関連するダウンリンク送信を同期化できるからである。
【０１９５】
複数ポイント送信では、特にＮｏｄｅ  Ｂ間展開について、動作時のセルが、ＵＭＴＳネットワークの非同期の性質に起因して同期化されない場合がある。したがって、ＤＲＸアクティブ化またはＤＲＸ非アクティブ化などのＤＲＸ関連手順は、サイト間展開要件に対処するために変更される必要がある可能性がある。
【０１９６】
ユーザに関する電力節約の利益を最大にするために、２つのセルによって使用される受信パターンが、できる限り時間内に位置合せされるように、主サービングセルと副（支援）サービングセルとの両方でのＤＲＸ動作を調整することができる。ＤＲＸパラメータの同一のセットまたはＤＲＸサイクルなどのＤＲＸパラメータの１セットのみが、両方のセルで構成される。無線インターフェース同期化手順をかかわらせることによって、両方のセルのＦ−ＤＰＣＨの送信に関連するＣＦＮ（Ｃｏｎｎｅｃｔｉｏｎ  Ｆｒａｍｅ  Ｎｕｍｂｅｒ）を、あるレベルの正確さを伴って位置合せすることができる。この位置合せされたＣＦＮを使用することによって、制御アルゴリズムを、両方のセルに関する調整されたダウンリンクＤＲＸ受信パターンを生成するように設計することができる。異なるセルでのＦ−ＤＰＣＨ無線フレームおよびＨＳ−ＳＣＣＨ無線フレームのタイミング関係の潜在的変動に起因して、追加の時間調整手順を使用して、２つの受信パターンを位置合せすることができる。
【０１９７】
たとえば、Ｆ−ＤＰＣＨとＨＳ−ＳＣＣＨとの時間差を、主サービングセルについてτDRX0と表し、副サービングセルについてτDRX1と表す。ネットワークが、タイミングオフセットパラメータＵＥ＿ＤＴＸ＿ＤＲＸ＿Ｏｆｆｓｅｔを構成するときには、２つのサービングセルについてこれを異なってセットすることが要求される。より具体的には、この２つのタイミングオフセットパラメータの関係は、次を満たさなければならない。
（ＵＥ＿ＤＴＸ＿ＤＲＸ＿Ｏｆｆｓｅｔ０−ＵＥ＿ＤＴＸ＿ＤＲＸ＿Ｏｆｆｓｅｔ１）＝（τDRX1−τDRX0）
（τDRX1−τDRX0）は、サブフレームに関して表され、最も近い整数に四捨五入しなければならないことに留意されたい。
【０１９８】
主サービングセルについて、ＨＳ−ＳＣＣＨ受信パターンは、そのＨＳ−ＳＣＣＨ  ＤＲＸ無線フレーム番号（ＣＦＮ＿ＤＲＸ）およびサブフレーム番号（Ｓ＿ＤＲＸ）が、
（（５×ＣＦＮ＿ＤＲＸ０−ＵＥ＿ＤＴＸ＿ＤＲＸ＿Ｏｆｆｓｅｔ０＋Ｓ＿ＤＲＸ０）  ＭＯＤ  ＵＥ＿ＤＲＸサイクル）＝０
を立証するサブフレームのセットである。
【０１９９】
ここで、ＣＦＮ＿ＤＲＸ０は、主サービングセルに関し、対応するＦ−ＤＰＣＨ無線フレームに関連するＨＳ−ＳＣＣＨの無線フレーム番号であり、これは、無線インターフェース同期化手順を介して２つのサービングセルの間で位置合せされる。Ｓ＿ＤＲＸ０は、０から４までの範囲の、１つの無線フレームの中での主サービングセルのＨＳ−ＳＣＣＨサブフレーム番号である。ＵＥ＿ＤＲＸサイクルは、ＨＳ−ＳＣＣＨ受信パターンの反復サイクルを指定する、上位層によって構成されるパラメータである。
【０２００】
副サービングセルについて、ＨＳ−ＳＣＣＨ受信パターンは、そのＨＳ−ＳＣＣＨ  ＣＦＮ＿ＤＲＸおよびＳ＿ＤＲＸが
（（５×ＣＦＮ＿ＤＲＸ１−ＵＥ＿ＤＴＸ＿ＤＲＸ＿Ｏｆｆｓｅｔ１＋Ｓ＿ＤＲＸ１）  ＭＯＤ  ＵＥ＿ＤＲＸｃｙｃｌｅ）＝０
を立証するサブフレームのセットである。
【０２０１】
ここで、ＣＦＮ＿ＤＲＸ１は、副サービングセルに関し、対応するＦ−ＤＰＣＨ無線フレームに関連するＨＳ−ＳＣＣＨの無線フレーム番号であり、Ｓ＿ＤＲＸ１は、副サービングセルのＨＳ−ＳＣＣＨサブフレーム番号である。
【０２０２】
代替の解決策として、ネットワークは、
ＵＥ＿ＤＲＸ＿Ｏｆｆｓｅｔ＝ＵＥ＿ＤＴＸ＿ＤＲＸ＿Ｏｆｆｓｅｔ０−ＵＥ＿ＤＴＸ＿ＤＲＸ＿Ｏｆｆｓｅｔ１＋（τDRX0−τDRX1）
によって計算される追加のタイミングオフセットパラメータを構成することができる。
【０２０３】
この時間オフセットパラメータは
（（５×ＣＦＮ＿ＤＲＸ１−ＵＥ＿ＤＴＸ＿ＤＲＸ＿Ｏｆｆｓｅｔ１−ＵＥ＿ＤＲＸ＿Ｏｆｆｓｅｔ＋Ｓ＿ＤＲＸ１）  ＭＯＤ  ＵＥ＿ＤＲＸｃｙｃｌｅ）＝０
として副サービングセル上でのみ受信パターンの計算に適用される。
【０２０４】
この場合に、ＵＥ＿ＤＴＸ＿ＤＲＸ＿Ｏｆｆｓｅｔ０およびＵＥ＿ＤＴＸ＿ＤＲＸ＿Ｏｆｆｓｅｔ１を、個々のＮｏｄｅ  Ｂによって独立に構成することができる。
【０２０５】
ＤＴＸモードがアクティブ化されるときに、マルチポイント動作のＮｏｄｅ  Ｂは、それぞれ主サービングセルおよび副サービングセルについて、上で説明した受信パターンに従って送信を実行する。
【０２０６】
ＷＴＲＵでは、受信パターンが、タイミング調整手順の結果として位置合せされ、またはほぼ位置合せされるので、ＷＴＲＵは、セルのいずれかで提供されるタイミングカウンタに従って受信パターンの１つのセットを計算する共通の状態機械を実施することだけが必要である。状態機械が、ＷＴＲＵをウェイクアップすべきタイムインターバルであると判定した後に、ＷＴＲＵは、潜在的なデータ受信について両方のセルからのＨＳ−ＳＣＣＨを監視し始める。異なるセルの受信パターンの間のわずかな残留オフセットのゆえにデータ送信を潜在的に見逃すことを避けるために、ＷＴＲＵは、受信インターバルの周囲の１つまたは少数のさらなる追加のサブフレームを監視することができる。あるいは、ＷＴＲＵは、上の式に従って他のセルのＨＳ−ＳＣＣＨ監視が完了し、ＷＴＲＵが受信機をオフに切り替えなければならない場合であっても、わずかにオフセットされたセルのＨＳ−ＳＣＣＨ全体が監視されることを保証することができる。
【０２０７】
受信パターンを位置合せする例が、図１３に示され、図１３では、パラメータは、ＵＥ＿ＤＲＸ＿ｃｙｃｌｅ＝４、τDRX0＝１ｓｕｂｆｒａｍｅ、τDRX1＝２ｓｕｂｆｒａｍｅｓとしてセットされ、タイミングオフセットパラメータは、制約
（ＵＥ＿ＤＴＸ＿ＤＲＸ＿Ｏｆｆｓｅｔ０−ＵＥ＿ＤＴＸ＿ＤＲＸ＿Ｏｆｆｓｅｔ１）＝１
を満たさなければならない。
【０２０８】
別の解決策では、ネットワークは、マルチポイント送信に関する複数のＤＲＸ受信パターンを維持せず、またはこれらの同期化を試みない。その代わりに、１つのＤＲＸ受信パターンだけが、１つのセルについて構成されたカウンタまたはパラメータのセットを使用することによって判定される。たとえば、ＤＲＸ受信パターンは、３ＧＰＰ標準規格の既存のルールによって、主サービングセルからのタイミングパラメータを使用して判定される。マルチポイント送信の他のセルのＤＲＸ動作について、セルの送信に関する対応するウェイクアップインターバルは、主受信パターンとオーバーラップするサブフレームを見つけることによって判定される。
【０２０９】
セルの間の非同期の性質に起因して、サブフレームの一部だけが、主受信パターンとオーバーラップすることが可能であり、おそらくは、２つの連続するサブフレームが、同一のウェイクアップインターバルに含まれる可能性がある。この場合に、ルールを定義して、複数のオプション、すなわち、受信パターンによって定義されるウェイクアップインターバルとの最大のオーバーラップ時間を有するサブフレーム、受信パターンによって定義されるウェイクアップインターバルとオーバーラップする最初のサブフレーム、または受信パターンによって定義されるウェイクアップインターバルとオーバーラップする最後のサブフレームというサブフレームの一意の選択を行うことができる。
【０２１０】
ＷＴＲＵは、受信パターンを生成する１つの状態機械を維持する。他のサービングセルからのデータ受信に関して、この状態機械は、上で説明したルールを満たすサブフレーム内のＨＳ−ＳＣＣＨを監視する。
【０２１１】
一例として、ＨＳ−ＳＣＣＨ受信パターンは、そのＨＳ−ＳＣＣＨ  ＣＦＮ＿ＤＲＸおよびＳ＿ＤＲＸが
（（５×ＣＦＮ＿ＤＲＸ−ＵＥ＿ＤＴＸ＿ＤＲＸ＿Ｏｆｆｓｅｔ＋Ｓ＿ＤＲＸ）  ＭＯＤ  ＵＥ＿ＤＲＸｃｙｃｌｅ）＝０
を立証するサブフレームのセットである。
【０２１２】
次に、マルチポイントＨＳＤＰＡ送信モードで、ＨＳ−ＳＣＣＨ受信パターンは、主サービングセルについてのみ生成される。他のサービングセルに関するＨＳ−ＳＣＣＨ受信サブフレームは、たとえばＨＳ−ＳＣＣＨ受信パターンによって定義されるサブフレームタイミングインターバルとオーバーラップする、最後のサブフレームを見つけることによって、このパターンから導出される。
【０２１３】
上で説明した独立ＤＲＸ動作または調整されたＤＲＸ動作のいずれであれ、送信のすべてのセルが、同時にＤＲＸモードに入ることが有益である可能性がある。なぜなら、ＷＴＲＵでの無線フロントエンド全体が、電力節約の利益を最大に主張するために非アクティブ期間中に停止される可能性があるからである。セルの間でのＤＲＸモードの調整されたアクティブ化または非アクティブ化を可能にする制御機構を、提供することができる。
【０２１４】
いずれかのセルのＮｏｄｅ  Ｂは、それ自体で、データトラフィックまたはＷＴＲＵ動作状況に関して認識した情報に基づいて、ＤＲＸ動作のアクティブ化または非アクティブ化を開始するために働くことができる。Ｎｏｄｅ  Ｂスケジューラが、ＷＴＲＵについてＤＲＸモードをアクティブ化または非アクティブ化すると判断した後に、Ｎｏｄｅ  Ｂスケジューラは、ＲＮＣからの指示を受けずに、ＷＴＲＵに直接に（非）アクティブ化ＨＳ−ＳＣＣＨ命令を送信する。
【０２１５】
通知は、Ｉｕｒインターフェースを介してサービングＲＮＣ（ＳＲＮＣ）に同時にまたはその後にシグナリングされて、ＤＲＸアクティブ化／非アクティブ化についてＲＮＣに知らせる。この通知を受信する時に、ＳＲＮＣは、さらに、マルチポイント送信に用いられる他のセル（１つまたは複数）のＮｏｄｅ  Ｂ（１つまたは複数）にコマンドを送信することができる。このコマンドは、Ｎｏｄｅ  ＢにＤＲＸモードを開始する（または停止する）ように指示する命令および／またはオプションでＮｏｄｅ  ＢにＤＲＸモードをアクティブ化または非アクティブ化すべき時を知らせるタイミング情報（たとえば、ＣＦＮによって指定される）を含むことができる。
【０２１６】
ＳＲＮＣからＤＲＸアクティブ化／非アクティブ化コマンドを受信するＮｏｄｅ  Ｂは、ＨＳ−ＳＣＣＨを介してＤＲＸアクティブ化／非アクティブ化命令をＷＴＲＵにシグナリングし、このサービングセルを介して搬送されるダウンリンク送信がＤＲＸモードに入る（または終了する）ことを可能にする。あるいは、共通のＤＲＸ状態が、ＷＴＲＵ内で実施され、命令が、第１のセルによって受信された場合に、Ｎｏｄｅ  Ｂは、別のＤＲＸ命令を送信する必要がない。ＳＲＮＣまたは他のＮｏｄｅ  ＢからのＤＲＸアクティブ化／非アクティブ化の通知の時に、Ｎｏｄｅ  Ｂは、単純にＤＲＸ動作を開始または停止することができる。
【０２１７】
図１４は、通知ベースのＤＲＸアクティブ化／非アクティブ化手順１４００の流れ図である。手順１４００では、ＷＴＲＵ  １４０２は、主サービングセルのＮｏｄｅ  Ｂ  １４０４および副サービングセルのＮｏｄｅ  Ｂ  １４０６と通信する。Ｎｏｄｅ  Ｂ  １４０４および１４０６は、サービングＲＮＣ（ＳＲＮＣ）１４０８と通信する。
【０２１８】
ＷＴＲＵ  １４０２は、Ｎｏｄｅ  Ｂ  １４０４から、主セルのアクティブ化または非アクティブ化のＨＳ−ＳＣＣＨ命令を受信する（ステップ１４１０）。Ｎｏｄｅ  Ｂ  １４０４は、対応するＤＲＸアクティブ化通知またはＤＲＸ非アクティブ化通知をＳＲＮＣ  １４０８に送信する（ステップ１４１２）。ＳＲＮＣ  １４０８は、Ｎｏｄｅ  Ｂ  １４０６にＤＲＸアクティブ化コマンドまたはＤＲＸ非アクティブ化コマンドを送信する（ステップ１４１４）。Ｎｏｄｅ  Ｂ  １４０６は、副セルのアクティブ化命令または非アクティブ化命令に関するＨＳ−ＳＣＣＨ命令をＷＴＲＵ  １４０２に送信する（ステップ１４１６）。
【０２１９】
通知ベースのＤＲＸアクティブ化／非アクティブ化を用いると、待ち時間が、異なるセルを介するＤＲＸアクティブ化／非アクティブ化に存在する可能性が高い。すべてのセルが同時にＤＲＸモードに入る（または終了する）ことを可能にするために、開始するＮｏｄｅ  Ｂは、まず（たとえば、命令をＷＴＲＵに送信する前に）ＳＲＮＣまたは他のＮｏｄｅ  Ｂに通知を送信することができる。通知メッセージ内に、開始するＮｏｄｅ  Ｂは、アクティブ化／非アクティブ化のタイミング情報を含めることができる。たとえば、開始するＮｏｄｅ  Ｂは、ＷＴＲＵにＨＳ−ＳＣＣＨ命令をシグナリングすることになるＣＦＮを指定することができる。
【０２２０】
あるいは、通知の受信からアクティブ化／非アクティブ化までの固定された遅延を指定することができる。この通知メッセージは、マルチポイント送信で他のＮｏｄｅ  Ｂに転送され、他のＮｏｄｅ  Ｂが、アクティブ化／非アクティブ化について準備できるようになる。タイマまたは指定されたＣＦＮによって定義される指定されたタイミングに、Ｎｏｄｅ  Ｂのうちの１つ（たとえば、初期Ｎｏｄｅ  Ｂまたは主Ｎｏｄｅ  Ｂ）は、すべてのサービングセルに関してＤＲＸモードを開始（または停止）するＨＳ−ＳＣＣＨ命令をＷＴＲＵに送信することができる。オプションで、他のサービングＮｏｄｅ  Ｂも、同一の命令をその対応するダウンリンクを介して送信して、信頼性を改善することができる。
【０２２１】
図１５は、タイマを含むＤＲＸアクティブ化／非アクティブ化通知手順１５００の流れ図である。手順１５００では、ＷＴＲＵ  １５０２が、主サービングセルのＮｏｄｅ  Ｂ  １５０４および副サービングセルのＮｏｄｅ  Ｂ  １５０６と通信する。Ｎｏｄｅ  Ｂ  １５０４および１５０６は、サービングＲＮＣ（ＳＲＮＣ）１５０８と通信する。
【０２２２】
Ｎｏｄｅ  Ｂ  １５０４は、タイミング情報を含む通知と共に、ＳＲＮＣ  １５０８にＤＲＸアクティブ化通知またはＤＲＸ非アクティブ化通知を送信する（ステップ１５１０）。上で注記したように、タイミング情報は、アクティブ化コマンドもしくは非アクティブ化コマンドの固定された時刻またはアクティブ化コマンドもしくは非アクティブ化コマンドの送信までの相対時間を示す遅延値を含むことができる。ＳＲＮＣは、タイミング情報に基づいて、ＤＲＸアクティブ化コマンドまたはＤＲＸ非アクティブ化コマンドをＮｏｄｅ  Ｂ  １５０６に送信する（ステップ１５１２）。やはりタイミング情報に基づいて、Ｎｏｄｅ  Ｂ  １５０４は、主セルと副セルとの両方のアクティブ化または非アクティブ化のＨＳ−ＳＣＣＨ命令をＷＴＲＵ  １５０２に送信する（ステップ１５１４）。
【０２２３】
ハンドシェークベースのＤＲＸアクティブ化／非アクティブ化では、開始するＮｏｄｅ  Ｂは、上で説明した通知メッセージではなく、ＤＲＸアクティブ化／非アクティブ化要求をＳＲＮＣに送信する。ＳＲＮＣは、要求がグラントされるか否かを判断する。ＳＲＮＣは、ＷＴＲＵ測定報告を介して受信したＷＴＲＵ動作条件と一緒に、上位層トラフィック条件およびバッファ状況に基づいて、要求を評価することができる。ＳＲＮＣが、要求がグラントされると判断した後に、ＳＲＮＣは、開始するＮｏｄｅ  Ｂにグラントメッセージを送信し、このグラントメッセージは、ＷＴＲＵへのＨＳ−ＳＣＣＨ命令をいつ送信すべきかをＮｏｄｅ  Ｂに知らせるためにＣＦＮによって指定されるタイミング情報も含むことができる。一方、同一のメッセージまたは類似するメッセージが、マルチポイント送信内の他のＮｏｄｅ  Ｂに送信されて、他のサービングセル上のＤＲＸアクティブ化／非アクティブ化を開始する。ＳＲＮＣが、要求をグラントしないと判断する場合には、ＳＲＮＣは、開始するＮｏｄｅ  ＢにＮＡＣＫメッセージを送信して、要求を無効化することができる。または、オプションで、ＳＲＮＣは、要求に全く応答しない。Ｎｏｄｅ  Ｂでセットされたタイマが、ＳＲＮＣからのグラントを受信する前に満了する場合には、Ｎｏｄｅ  Ｂは、要求がグラントされなかったことを知る。
【０２２４】
図１６は、ハンドシェークベースのアクティブ化／非アクティブ化手順１６００の流れ図である。手順１６００では、ＷＴＲＵ  １６０２は、主サービングセルのＮｏｄｅ  Ｂ  １６０４および副サービングセルのＮｏｄｅ  Ｂ  １６０６と通信する。Ｎｏｄｅ  Ｂ  １６０４および１６０６は、サービングＲＮＣ（ＳＲＮＣ）１６０８と通信する。
【０２２５】
Ｎｏｄｅ  Ｂ  １６０４は、ＤＲＸアクティブ化要求またはＤＲＸ非アクティブ化要求をＳＲＮＣ  １６０８に送信する（ステップ１６１０）。ＳＲＮＣ  １６０８は、ＤＲＸアクティブ化グラントまたはＤＲＸ非アクティブ化グラントをＮｏｄｅ  Ｂ  １６０４に送信し（ステップ１６１２）、対応するＤＲＸアクティブ化コマンドまたはＤＲＸ非アクティブ化コマンドをＮｏｄｅ  Ｂ  １６０６に送信する（ステップ１６１４）。ステップ１６１２および１６１４が、手順１６００の動作に影響を与えずに同時にまたは逆の順序で発生し得る（その結果、ステップ１６１４がステップ１６１２の前に発生するようになる）ことに留意されたい。ＳＲＮＣ  １６０８からグラントを受信した後に、Ｎｏｄｅ  Ｂ  １６０４は、主セルと副セルとの両方のアクティブ化または非アクティブ化のＨＳ−ＳＣＣＨ命令をＷＴＲＵ  １６０２に送信する（ステップ１６１６）。
【０２２６】
ステップ１６１６では、開始するＮｏｄｅ  Ｂ  １６０４だけがＷＴＲＵ  １６０２にＨＳ−ＳＣＣＨ命令を送信し、このＨＳ−ＳＣＣＨ命令は、マルチポイント動作のすべてのサービングセルについてＤＲＸ動作をアクティブ化または非アクティブ化する。オプションで、別々のＨＳ−ＳＣＣＨ命令を、おそらくはＤＲＸ動作をわずかに異なるタイミングでアクティブ化させまたは非アクティブ化させる意図を伴って、他のＮｏｄｅ  Ｂによって送信することができる。このタイミング差を、異なるＮｏｄｅ  Ｂにアドレッシングされたグラントメッセージ内で指定されるタイマを介してＳＲＮＣ  １６０８によって制御することができる。
【０２２７】
ＤＲＸアクティブ化またはＤＲＸ非アクティブ化を、サービングＲＮＣのみによって開始することができる。ＲＮＣは、それが認識するトラフィック条件およびＮｏｄｅ  Ｂスケジューリング状況に基づいて判断を行う。ＲＮＣが、ＷＴＲＵについてＤＲＸモードをアクティブ化または非アクティブ化すると判断する時に、ＲＮＣは、マルチポイント送信のすべての関係するＮｏｄｅ  Ｂに、行うべきアクションおよび実行の時刻を指定するコマンドメッセージをシグナリングする。コマンドメッセージの受信時に、Ｎｏｄｅ  Ｂは、単一のＨＳ−ＳＣＣＨ命令または別々のＨＳ−ＳＣＣＨ命令のいずれかをＷＴＲＵに送信して、アクションを完了する。
【０２２８】
図１７に、ＲＮＣによって制御されるＤＲＸアクティブ化／非アクティブ化手順１７００を示す。手順１７００では、ＷＴＲＵ  １７０２は、主サービングセルのＮｏｄｅ  Ｂ  １７０４および副サービングセルのＮｏｄｅ  Ｂ  １７０６と通信する。Ｎｏｄｅ  Ｂ  １７０４および１７０６は、サービングＲＮＣ（ＳＲＮＣ）１７０８と通信する。
【０２２９】
ＳＲＮＣ  １７０８は、ＤＲＸアクティブ化コマンドまたはＤＲＸ非アクティブ化コマンドをＮｏｄｅ  Ｂ  １７０４（ステップ１７１０）およびＮｏｄｅ  Ｂ  １７０６（ステップ１７１２）に送信する。ステップ１７１０および１７１２が、手順１７００の動作に影響を与えずに同時にまたは逆の順序で発生し得る（その結果、ステップ１７１２がステップ１７１０の前に発生するようになる）ことに留意されたい。ＳＲＮＣ  １７０８からコマンドを受信した後に、Ｎｏｄｅ  Ｂ  １７０４は、主セルと副セルとの両方のアクティブ化または非アクティブ化のＨＳ−ＳＣＣＨ命令をＷＴＲＵ  １７０２に送信する（ステップ１７１４）。
【０２３０】
あるいは、ＤＲＸモードを、主サービングセル内でのみ許容することができる。主サービングセルにサービスするＮｏｄｅ  Ｂは、ＤＲＸアクティブ化／非アクティブ化を、上で説明した通知ベースの方法またはハンドシェークベースの方法のいずれかによってＳＲＮＣに通信することができる。副サービングセルとして働くＮｏｄｅ  Ｂが、ＳＲＮＣからＤＲＸアクティブ化コマンド（または通知）を受信するときに、そのＮｏｄｅ  Ｂは、ＨＳ−ＳＣＣＨを介してＷＴＲＵにセル非アクティブ化命令をシグナリングして、ＤＲＸ動作モード中の副サービングセルからの送信全体を非アクティブ化することができる。副サービングセルとして働くＮｏｄｅ  Ｂが、ＳＲＮＣからＤＲＸ非アクティブ化コマンドを受信するときに、そのＮｏｄｅ  Ｂは、ＨＳ−ＳＣＣＨを介してＷＴＲＵにセルアクティブ化命令をシグナリングして、副サービングセルを再アクティブ化することができる。あるいは、ＳＲＮＣが主サービングセルとして働くＮｏｄｅ  ＢのＤＲＸアクティブ化通知を受信するときに、ＳＲＮＣは、単純に副Ｎｏｄｅ  Ｂへのデータの送信を停止する。したがって、副サービングセルは、非アクティブ化されたかのように動作し、その結果、ＷＴＲＵは、ＤＲＸモード中に副サービングセルからの送信を監視する必要がなくなる。
【０２３１】
ＤＲＸアクティブ化またはＤＲＸ非アクティブ化時のネットワークの動きを、下で説明する。マルチポイント送信がＮｏｄｅ  Ｂ間モードまたはサイト間モードで動作する状態では、異なるＮｏｄｅ  Ｂに存在する１つより多いＭＡＣエンティティがある場合がある。したがって、サービングＲＮＣは、上位層からのデータを分割し、データをＭＡＣバッファのそれぞれにディスパッチする必要がある。不必要なＲＬＣ再送信を避けるために、サービングＲＮＣは、各Ｎｏｄｅ  Ｂのスケジューリングアクティビティを監視し、およびこれらに適当な量のデータを分配する。
【０２３２】
開始するＮｏｄｅ  ＢからＤＲＸアクティブ化通知を受信する時に、ＳＲＮＣは、Ｎｏｄｅ  ＢのＭＡＣバッファへのデータの分配を停止するか、または、ＤＲＸモードによって処理できるレベルまでデータサイズを減らすことを要求される。上位層からの残りのデータトラフィックは、大量にある場合に、他のサービングセルのＭＡＣ（１つまたは複数）に向けられる。この場合に、他のサービングセルについてＤＲＸをアクティブ化するアクションを、データが送信されるまで延期することができる。
【０２３３】
アクティブ化通知メッセージの受信における待ち時間のゆえに、ＳＲＮＣでのデータ分割機能は、それでも、開始するＮｏｄｅ  ＢがＤＲＸモードに入った後に、開始するＮｏｄｅ  Ｂにいくつかのデータを分配する可能性がある。このデータは、そのＮｏｄｅ  Ｂの非アクティブ送信状況に起因して、送信に過剰な長さの時間を要する可能性がある。この場合に、ＳＲＮＣは、アクティブ化通知を受信した後に何が起きつつあるのかを予測できる場合に、同一のデータを他のＮｏｄｅ  Ｂに再分配することができる。開始するＮｏｄｅ  Ｂでは、そのＭＡＣバッファをフラッシュし、ＤＲＸモードに留まることがよりよい。
【０２３４】
ハンドシェークベースのアクティブ化手順またはＲＮＣによって制御されるアクティブ化手順について、サービングＲＮＣは、すべてを制御し、したがって、データ分割またはリダイレクトの問題は、心配がより少ない。
【０２３５】
実施形態
１．主サービングセルと副サービングセルとの間のＤＲＸ（ｄｉｓｃｏｎｔｉｎｕｏｕｓ  ｒｅｃｅｐｔｉｏｎ）動作を調整する方法であって、主サービングセルおよび副サービングセルのＤＲＸパラメータを構成するステップと、主サービングセル内と副サービングセル内との両方でＣＦＮ（Ｃｏｎｎｅｃｔｉｏｎ  Ｆｒａｍｅ  Ｎｕｍｂｅｒ）を位置合せするために無線インターフェース同期化手順を実行するステップと、位置合せされたＣＦＮを使用して主サービングセルおよび副サービングセルのＤＲＸ受信パターンを調整するステップとを含むことを特徴とする方法。
【０２３６】
２．構成するステップは、主サービングセルのＤＲＸパラメータの第１のセットおよび副サービングセルのＤＲＸパラメータの第２のセットを構成するステップ、または主サービングセルと副サービングセルとの両方のＤＲＸパラメータの１つのセットを構成するステップのうちのいずれか１つを含むことを特徴とする実施形態１に記載の方法。
【０２３７】
３．構成するステップは、主サービングセルの第１のタイミングオフセットパラメータおよび副サービングセルの第２のタイミングオフセットパラメータを計算するステップを含むことを特徴とする実施形態１または２に記載の方法。
【０２３８】
４．主サービングセルの受信パターンは、式（（５×ＣＦＮ＿ＤＲＸ０−ＵＥ＿ＤＴＸ＿ＤＲＸ＿Ｏｆｆｓｅｔ０＋Ｓ＿ＤＲＸ０）  ＭＯＤ  ＵＥ＿ＤＲＸｃｙｃｌｅ）＝０に従って判定され、ここで、ＣＦＮ＿ＤＲＸ０は、主サービングセルの対応するフラクショナル個別物理チャネルに関連するＨＳ−ＳＣＣＨ（Ｈｉｇｈ−Ｓｐｅｅｄ  Ｓｈａｒｅｄ  Ｃｏｎｔｒｏｌ  Ｃｈａｎｎｅｌ）の無線フレーム番号であり、ＵＥ＿ＤＴＸ＿ＤＲＸ＿Ｏｆｆｓｅｔ０は、主サービングセルのタイミングオフセットパラメータであり、Ｓ＿ＤＲＸ０は、主サービングセルのＨＳ−ＳＣＣＨサブフレーム番号であり、ＵＥ＿ＤＲＸｃｙｃｌｅは、ＨＳ−ＳＣＣＨ受信パターンの反復サイクルを指定する上位層によって構成されたパラメータであることを特徴とする実施形態１〜３のいずれか一項に記載の方法。
【０２３９】
５．副サービングセルの受信パターンは、式（（５×ＣＦＮ＿ＤＲＸ１−ＵＥ＿ＤＴＸ＿ＤＲＸ＿Ｏｆｆｓｅｔ１＋Ｓ＿ＤＲＸ１）  ＭＯＤ  ＵＥ＿ＤＲＸｃｙｃｌｅ）＝０に従って判定され、ここで、ＣＦＮ＿ＤＲＸ１は、副サービングセルの対応するフラクショナル個別物理チャネルに関連するＨＳ−ＳＣＣＨ（Ｈｉｇｈ−Ｓｐｅｅｄ  Ｓｈａｒｅｄ  Ｃｏｎｔｒｏｌ  Ｃｈａｎｎｅｌ）の無線フレーム番号であり、ＵＥ＿ＤＴＸ＿ＤＲＸ＿Ｏｆｆｓｅｔ１は、副サービングセルのタイミングオフセットパラメータであり、Ｓ＿ＤＲＸ１は、副サービングセルのＨＳ−ＳＣＣＨサブフレーム番号であり、ＵＥ＿ＤＲＸサイクルは、ＨＳ−ＳＣＣＨ受信パターンの反復サイクルを指定する上位層によって構成されたパラメータであることを特徴とする実施形態１〜４のいずれか一項に記載の方法。
【０２４０】
６．ＤＲＸアクティブ化命令またはＤＲＸ非アクティブ化命令を主サービングセルのＮｏｄｅ  Ｂまたは副サービングセルのＮｏｄｅ  Ｂから無線送受信ユニット（ＷＴＲＵ）に送信するステップと、ＤＲＸアクティブ化命令またはＤＲＸ非アクティブ化命令に関する情報を主サービングセルのＮｏｄｅ  Ｂまたは副サービングセルのＮｏｄｅ  Ｂからサービング無線ネットワークコントローラ（ＳＲＮＣ）に送信するステップとをさらに含むことを特徴とする実施形態１〜５のいずれか一項に記載の方法。
【０２４１】
７．ＤＲＸアクティブ化命令またはＤＲＸ非アクティブ化命令を送信しなかったサービングＮｏｄｅ  ＢでＤＲＸモードをアクティブ化または非アクティブ化するコマンドをＳＲＮＣから受信するステップをさらに含むことを特徴とする実施形態６に記載の方法。
【０２４２】
８．コマンドは、ＤＲＸモードをいつアクティブ化または非アクティブ化すべきかに関するタイミング情報を含むことを特徴とする実施形態７に記載の方法。
【０２４３】
９．ＤＲＸアクティブ化命令またはＤＲＸ非アクティブ化命令を以前に送信しなかったサービングＮｏｄｅ  Ｂから、ＤＲＸモードをアクティブ化または非アクティブ化するコマンドをＷＴＲＵに送信するステップをさらに含むことを特徴とする実施形態７に記載の方法。
【０２４４】
１０．通知ベースのＤＲＸ（ｄｉｓｃｏｎｔｉｎｕｏｕｓ  ｒｅｃｅｐｔｉｏｎ）アクティブ化または非アクティブ化の方法であって、主サービングセルのアクティブ化命令または非アクティブ化命令を主サービングセルのＮｏｄｅ  Ｂから無線送受信ユニット（ＷＴＲＵ）に送信するステップと、対応するＤＲＸアクティブ化通知またはＤＲＸ非アクティブ化通知を主サービングセルのＮｏｄｅ  Ｂからサービング無線ネットワークコントローラ（ＳＲＮＣ）に送信するステップと、ＤＲＸアクティブ化コマンドまたはＤＲＸ非アクティブ化コマンドを副サービングセルのＮｏｄｅ  ＢでＳＲＮＣから受信するステップと、副サービングセルのアクティブ化命令を副サービングセルのＮｏｄｅ  ＢからＷＴＲＵに送信するステップとを含むことを特徴とする方法。
【０２４５】
１１．ＤＲＸアクティブ化通知またはＤＲＸ非アクティブ化通知は、主サービングセルのアクティブ化命令または非アクティブ化命令をＷＴＲＵに送信する前にＳＲＮＣに送信されることを特徴とする実施形態１０に記載の方法。
【０２４６】
１２．ＤＲＸアクティブ化通知またはＤＲＸ非アクティブ化通知は、アクティブ化または非アクティブ化に関するタイミング情報を含むことを特徴とする実施形態１０または１１に記載の方法。
【０２４７】
１３．通知ベースのＤＲＸ（ｄｉｓｃｏｎｔｉｎｕｏｕｓ  ｒｅｃｅｐｔｉｏｎ）アクティブ化または非アクティブ化の方法であって、ＤＲＸアクティブ化要求またはＤＲＸ非アクティブ化要求を主サービングセルのＮｏｄｅ  Ｂからサービング無線ネットワークコントローラ（ＳＲＮＣ）に送信するステップと、ＤＲＸアクティブ化グラントまたはＤＲＸ非アクティブ化グラントを主Ｎｏｄｅ  ＢでＳＲＮＣから受信するステップと、主サービングセルおよび副サービングセルのＤＲＸアクティブ化命令またはＤＲＸ非アクティブ化命令を主Ｎｏｄｅ  Ｂから無線送受信ユニット（ＷＴＲＵ）に送信するステップとを含むことを特徴とする方法。
【０２４８】
１４．ＤＲＸアクティブ化グラントまたはＤＲＸ非アクティブ化グラントは、主Ｎｏｄｅ  ＢがＤＲＸアクティブ化命令またはＤＲＸ非アクティブ化命令をＷＴＲＵにいつ送信すべきかに関するタイミング情報を含むことを特徴とする実施形態１３に記載の方法。
【０２４９】
１５．ＳＲＮＣがＤＲＸアクティブ化要求またはＤＲＸ非アクティブ化要求をグラントしないという条件の下で、ＳＲＮＣは、否定応答を主Ｎｏｄｅ  Ｂに送信することを特徴とする実施形態１３または１４に記載の方法。
【０２５０】
１６．ＳＲＮＣがＤＲＸアクティブ化要求またはＤＲＸ非アクティブ化要求をグラントせず、主Ｎｏｄｅ  ＢのタイマがＤＲＸアクティブ化グラントまたはＤＲＸ非アクティブ化グラントを受信する前に満了するという条件の下で、主Ｎｏｄｅ  Ｂは、要求がグラントされなかったと判定することを特徴とする実施形態１３または１４に記載の方法。
【０２５１】
１７．ＤＲＸアクティブ化コマンドまたはＤＲＸ非アクティブ化コマンドをＳＲＮＣから副サービングセルのＮｏｄｅ  Ｂに送信するステップをさらに含むことを特徴とする実施形態１３〜１６のいずれか一項に記載の方法。
【０２５２】
１８．実施形態１〜１７のいずれか一項に記載の方法を実行するように構成された無線送受信ユニット。
【０２５３】
１９．実施形態１〜１７のいずれか一項に記載の方法を実行するように構成されたＮｏｄｅ  Ｂ。
【０２５４】
２０．実施形態１〜１７のいずれか一項に記載の方法を実行するように構成された無線ネットワークコントローラ。
【０２５５】
特徴および要素が、上では特定の組合せで説明されるが、当業者は、各特徴または要素を単独でまたは他の特徴および要素との任意の組合せで使用できることを了解するであろう。さらに、本明細書で説明される方法を、コンピュータまたはプロセッサによる実行のためにコンピュータ可読媒体内に組み込まれたコンピュータプログラム、ソフトウェア、またはファームウェアで実施することができる。コンピュータ可読媒体の例は、電子信号（有線または無線の接続を介して送信される）およびコンピュータ可読記憶媒体を含む。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびディジタル多用途ディスク（ＤＶＤ）などの光学媒体を含むが、これらに限定されない。ソフトウェアに関連するプロセッサを使用して、ＷＴＲＵ、ＵＥ、端末、基地局、ＲＮＣ、または任意のホストコンピュータ内で使用されるラジオ周波数トランシーバを実施することができる。
【図１Ａ】
2018166346.tif 000013
【図１Ｂ】
2018166346.tif 000014
【図１Ｃ】
2018166346.tif 000015
【図２】
2018166346.tif 000016
【図３】
2018166346.tif 000017
【図４】
2018166346.tif 000018
【図５】
2018166346.tif 000019
【図６】
2018166346.tif 000020
【図７】
2018166346.tif 000021
【図８】
2018166346.tif 000022
【図９】
2018166346.tif 000023
【図１０】
2018166346.tif 000024
【図１１】
2018166346.tif 000025
【図１２】
2018166346.tif 000026
【図１３】
2018166346.tif 000027
【図１４】
2018166346.tif 000028
【図１５】
2018166346.tif 000029
【図１６】
2018166346.tif 000030
【図１７】
2018166346.tif 000031
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
プロセッサと、
受信機と、を備え、
前記受信機は、第１のセルによる送信を示している第１の物理ダウンリンク制御チャネル（ＰＤＣＣＨ）を受信し、および、第２のセルによる送信を示している第２のＰＤＣＣＨを受信するように構成され、前記第１のセルおよび前記第２のセルは、異なるキャリア周波数を有し、
前記受信機は、前記第１のＰＤＣＣＨに基づいて前記第１のセルの第１の物理ダウンリンク共有チャネル（ＰＤＳＣＨ）を受信し、および、前記第２のＰＤＣＣＨに基づいて前記第２のセルの第２のＰＤＳＣＨを受信するように構成され、前記第１のＰＤＳＣＨは、前記第２のＰＤＳＣＨと同一のデータを含み、
前記プロセッサは、少なくとも前記受信された第１のＰＤＳＣＨまたは前記受信された第２のＰＤＳＣＨを使用して、前記同一のデータをリカバーするように構成される
ことを特徴とする無線送受信ユニット（ＷＴＲＵ）。
【請求項２】
前記第１のＰＤＣＣＨおよび前記第２のＰＤＣＣＨは異なるセルから受信されることを特徴とする請求項１に記載のＷＴＲＵ。
【請求項３】
前記第１のセルおよび前記第２のセルは異なるネットワークノードから生じることを特徴とする請求項１に記載のＷＴＲＵ。
【請求項４】
前記第１のセルは第１の無線ネットワーク端末識別子（ＲＮＴＩ）に関連付けられており、および、前記第２のセルは第２のＲＮＴＩに関連付けられており、前記第１のＲＮＴＩおよび前記第２のＲＮＴＩは異なることを特徴とする請求項３に記載のＷＴＲＵ。
【請求項５】
前記第１のＰＤＳＣＨおよび前記第２のＰＤＳＣＨは異なる変調を有することを特徴とする請求項１に記載のＷＴＲＵ。
【請求項６】
前記第１のＰＤＳＣＨおよび前記第２のＰＤＳＣＨは異なる冗長性バージョンを有することを特徴とする請求項１に記載のＷＴＲＵ。
【請求項７】
前記第１のＰＤＳＣＨおよび前記第２のＰＤＳＣＨは異なるプリコーディングウェイトを有することを特徴とする請求項１に記載のＷＴＲＵ。
【請求項８】
前記第１のＰＤＣＣＨは、前記第１のＰＤＳＣＨのセルのインジケータを含むことを特徴とする請求項１に記載のＷＴＲＵ。
【請求項９】
前記第１のＰＤＳＣＨおよび前記第２のＰＤＳＣＨは異なる時間にて送信されることを特徴とする請求項１に記載のＷＴＲＵ。
【請求項１０】
無線送受信ユニット（ＷＴＲＵ）で用いる方法であって、
第１のセルによる送信を示している第１の物理ダウンリンク制御チャネル（ＰＤＣＣＨ）を受信し、および、第２のセルによる送信を示している第２のＰＤＣＣＨを受信するステップであって、前記第１のセルおよび前記第２のセルは、異なるキャリア周波数を有する、ステップと、
前記第１のＰＤＣＣＨに基づいて前記第１のセルの第１の物理ダウンリンク共有チャネル（ＰＤＳＣＨ）を受信し、および、前記第２のＰＤＣＣＨに基づいて前記第２のセルの第２のＰＤＳＣＨを受信するステップであって、前記第１のＰＤＳＣＨは、前記第２のＰＤＳＣＨと同一のデータを含む、ステップと、
少なくとも前記受信された第１のＰＤＳＣＨまたは前記受信された第２のＰＤＳＣＨを使用して、前記同一のデータをリカバーするステップと
を含むことを特徴とする方法。
【請求項１１】
前記第１のＰＤＣＣＨおよび前記第２のＰＤＣＣＨは異なるセルから受信されることを特徴とする請求項１０に記載の方法。
【請求項１２】
前記第１のセルおよび前記第２のセルは異なるネットワークノードから生じることを特徴とする請求項１０に記載の方法。
【請求項１３】
前記第１のセルは第１の無線ネットワーク端末識別子（ＲＮＴＩ）に関連付けられており、および、前記第２のセルは第２のＲＮＴＩに関連付けられており、前記第１のＲＮＴＩおよび前記第２のＲＮＴＩは異なることを特徴とする請求項１２に記載の方法。
【請求項１４】
前記第１のＰＤＳＣＨおよび前記第２のＰＤＳＣＨは異なる変調を有することを特徴とする請求項１０に記載の方法。
【請求項１５】
前記第１のＰＤＳＣＨおよび前記第２のＰＤＳＣＨは異なる冗長性バージョンを有することを特徴とする請求項１０に記載の方法。
【請求項１６】
前記第１のＰＤＳＣＨおよび前記第２のＰＤＳＣＨは異なるプリコーディングウェイトを有することを特徴とする請求項１０に記載の方法。
【請求項１７】
前記第１のＰＤＣＣＨは、前記第１のＰＤＳＣＨのセルのインジケータを含むことを特徴とする請求項１０に記載の方法。
【請求項１８】
前記第１のＰＤＳＣＨおよび前記第２のＰＤＳＣＨは異なる時間にて送信されることを特徴とする請求項１０に記載の方法。
【外国語明細書】
2018166346000001.pdf